(57)【要約】【課題】  顧客が求める品質条件を満足する印刷成果物を生産するための作業を自動化し、作業工程の効率化を実現する印刷システムを提供する。【解決手段】  品質要求データを含む受注データを受注システムから受信する受信手段と、受信した前記品質要求データを解釈する解釈手段と、生産システムが実行すべき品質調整に用いる情報を含むジョブを、前記解釈手段による解釈結果に基づいて生成する生成手段と、前記生産システムに前記ジョブを投入する投入手段とを有し、前記生成手段は、前記受信した品質要求データのデータ形式と異なるデータ形式であって、前記生産システムに応じたデータ形式の品質要求データを含む前記ジョブを生成する情報処理装置。【選択図】  図１
2020101895.tif 000002
【特許請求の範囲】
【請求項１】
品質要求データを含む受注データを受注システムから受信する受信手段と、
受信した前記品質要求データを解釈する解釈手段と、
生産システムが実行すべき品質調整に用いる情報を含むジョブを、前記解釈手段による解釈結果に基づいて生成する生成手段と、
前記生産システムに前記ジョブを投入する投入手段と
を有し、
前記生成手段は、前記受信した品質要求データのデータ形式と異なるデータ形式であって、前記生産システムに応じたデータ形式の品質要求データを含む前記ジョブを生成することを特徴とする情報処理装置。
【請求項２】
前記品質要求データは、基準値に対する成果物の画像の色値の色差の許容範囲を示す色品質要求、基準位置に対する画像の位置ずれの許容範囲を示すレジ品質要求、画像不良の許容範囲を示す画像不良の品質要求、及び、成果物に印刷されるバーコードの品質の許容範囲を示すバーコード品質要求のうち少なくともいずれかを含み、
品質調整の内容を示す情報は、前記生産システムに対するキャリブレーションの実行指示を含むことを特徴とする請求項１に記載の情報処理装置。
【請求項３】
前記受信手段は、Ｐｒｉｎｔ  Ｒｅｑｕｉｒｅｍｅｎｔ  ｅＸｃｈａｎｇｅ  ｆｏｒｍａｔ（ＰＲＸ）に即したデータ形式の品質要求データを受信することを特徴とする請求項１に記載の情報処理装置。
【請求項４】
品質要求データを含む受注データを受注システムから受信する受信ステップと、
受信した前記品質要求データを解釈する解釈ステップと、
生産システムが実行すべき品質調整に用いる情報を含むジョブを、前記解釈ステップにおける解釈結果に基づいて生成する生成ステップと、
前記生産システムに前記ジョブを投入する投入ステップと
を有し、
前記生成ステップにおいて、前記受信した品質要求データのデータ形式と異なるデータ形式であって、前記生産システムに応じたデータ形式の品質要求データを含む前記ジョブを生成することを特徴とする情報処理装置の制御方法。
【請求項５】
コンピュータに、
品質要求データを含む受注データを受注システムから受信する受信工程と、
受信した前記品質要求データを解釈する解釈工程と、
生産システムが実行すべき品質調整に用いる情報を含むジョブを、前記解釈工程における解釈結果に基づいて生成する生成工程と、
前記生産システムに前記ジョブを投入する投入工程と
を実行させ、
前記生成工程において、前記受信した品質要求データのデータ形式と異なるデータ形式であって、前記生産システムに応じたデータ形式の品質要求データを含む前記ジョブを生成する処理を前記コンピュータに実行させるためのプログラム。
【発明の詳細な説明】
【技術分野】
【０００１】
本発明は、印刷成果物の品質を管理するための情報処理装置、情報処理装置の制御方法、及び、プログラムに関する。
【背景技術】
【０００２】
プリントオンデマンド（ＰＯＤ）やプロダクションプリンティング、商業印刷と呼ばれる印刷サービス形態がある。このようなサービス形態では、印刷を注文・依頼する顧客（エンドユーザとも呼ぶ）と、印刷成果物を提供する印刷会社とが存在し、顧客は印刷会社に対して依頼する印刷成果物の仕様と、必要に応じて印刷に用いる画像データの提供を行い印刷物の注文を行う。印刷成果物の仕様とは、例えば使用する用紙種類、製本やステイプルといった仕上げ設定、印刷枚数や部数といった、印刷成果物の内容を決定する要素である。印刷会社は依頼された内容と画像データを用いて印刷成果物を作成して顧客に対して納品する。
【０００３】
このような商業印刷サービスにおいて、印刷会社は印刷成果物の受注から納品までを行うために多様な機器やソフトウェアを用いる。商業印刷サービスを提供するための構成として、用紙への印刷を行うための印刷装置や製本・ステイプルを行うためのフィニッシャや、印刷物の検査・検品を行うための検品装置等がある。また商業印刷サービスにおいて、顧客から印刷成果物の受注を受け付けるためのＷｅｂサーバや、印刷成果物の生産を管理するための端末やソフトウェアも用いられる。また、これらの機器やソフトウェアの使用者も複数存在する。例えば、受注案件の管理や顧客との連絡を行う受注担当者、印刷成果物を完成させるまでの作業工程を設計する工程設計者、印刷装置や検品装置の操作を行うオペレータ、最終印刷成果物の品質確認を行う確認者である。複数の生産拠点を備える印刷会社も存在し、このような場合、印刷会社は受注内容をもとに、どの生産拠点で印刷成果物の生産を行うか決定する。
【０００４】
商業印刷サービスにおいては、印刷会社は顧客から印刷成果物に対して品質条件を指定されることが多い。品質条件とは、印刷成果物の仕様とは異なり、用紙の表裏における画像の位置ずれ量や、複数部数あるいは複数ページ間での画像の色値の変動量といった、印刷成果物の品質に関する条件を指す。印刷成果物はチラシやパンフレットのような配布物、写真集や書籍、名刺、展示パネルなど多岐にわたり、それらの用途や価格も様々であるため、品質条件もまた、求められる条件や水準は多種多様である。後述するように品質条件に対して、印刷会社ではそれらを満たすための作業工程と、印刷成果物の品質確認工程が必要となるため、品質条件の水準が高いほど印刷成果物のコストも増加することが一般的である。印刷会社は、これらの品質条件を満たすような各種調整作業を行いながら、印刷成果物の作成を行う。例えば、顧客と合意を得たサンプル印刷の結果に基づいて、印刷装置の特定の用紙における特定の色に合わせるための各種調整や、印刷後の検品により品質条件を満たさない印刷成果物を不良品として除外することが行われる。印刷会社はこれらの作業により達成された印刷成果物の品質が顧客の求める品質条件に達しているかを確認し、必要に応じて顧客に対して品質レポートを提出する。
【０００５】
特に、多くの顧客から様々な仕様・品質条件の印刷成果物を受注する場合、各印刷成果物に対して顧客の品質条件を満たすための作業もまた多種類となり、かかる時間も長時間となる。例えば、印刷成果物Ａでは表裏の印刷ずれが、印刷成果物Ｂでは顧客から提示された色見本との整合性が、それぞれ品質条件として求められているとする。この場合、受注担当者は工程設計者にそれぞれの印刷成果物の品質条件を、印刷会社で用いるデータフォーマットを用いて伝送する必要がある。工程設計者は印刷会社で用いることができる印刷装置およびソフトウェアの種類、状態をもとに、それぞれの印刷成果物の生産において、品質条件を満足するための作業工程を決定する。例えば、印刷成果物Ａでは後処理装置の機器調整、印刷成果物Ｂでは印刷装置の色較正、のように作業を決定し、さらに色較正後の測色作業など、各作業における結果確認作業を決定する。また、例えば表裏の印刷ずれの確認箇所と許容されるずれ量の最大値のように、生産された印刷成果物が品質条件を満足していることをどのように確認すればよいかを示す品質確認手段を決定する。印刷会社では複数の印刷装置が用いられていることが一般的であり、工程設計者は、それら複数の印刷装置から受注した印刷成果物の品質条件を満足するために最適な装置を選ぶ必要がある。このように、品質条件を満たす印刷成果物の生産と、生産された印刷成果物の品質確認をそれぞれ行うためのワークフローの定義が印刷会社においては必要である。オペレータはこのようにして決定された作業工程を受け取り、印刷装置およびソフトウェアの操作を行う。確認者は生産された印刷成果物と、品質確認手段とをもとに印刷成果物が品質条件を満足していることを確認する。このように、印刷会社は品質条件とそれを満足するための作業工程、また確認された印刷成果物の品質を示す品質レポートを伝送するために多くの作業工数を費やしている。
【０００６】
従来、顧客と印刷会社とがこれらの品質条件、品質レポートの受け渡しを行う際に、統一された情報フォーマットは定義されておらず、用いられてこなかった。そのため、印刷会社は複数の顧客から異なる情報フォーマットで品質条件を受領することになり、品質条件から、それらを満たすための作業工程を設計する際に不便が生じていた。顧客側から見ても、複数の印刷会社に対して印刷成果物の発注を行う際に、品質条件と品質レポートの受け渡しを異なる情報フォーマットで行う煩雑さが存在していた。
【０００７】
そこで、品質条件と品質レポートを伝送するための情報フォーマットの統一手段として、非特許文献１、２にそれぞれ記載のＰＲＸ，  ＰＱＸが検討されている。ＰＲＸとは、Ｐｒｉｎｔ  Ｒｅｑｕｉｒｅｍｅｎｔ  ｅＸｃｈａｎｇｅ  ｆｏｒｍａｔの略であり、印刷に要求する品質条件の標準データフォーマットを指す。ＰＲＸを用いることで、異なる顧客あるいは異なる受注に対する品質条件を統一的な標準データフォーマットで記述できるようになる。ＰＱＸとは、Ｐｒｉｎｔ  Ｑｕａｌｉｔｙ  ｅＸｃｈａｎｇｅ  ｆｏｒｍａｔの略であり、印刷品質レポートの標準データフォーマットを指す。ＰＱＸは印刷成果物の品質データを標準データフォーマットで伝送することを可能にする。このようにＰＲＸ，  ＰＱＸを用いて従来統一されていなかった品質条件と品質レポートとを統一された情報フォーマットで伝送できるようになる。
【０００８】
また、印刷成果物の受注に関するワークフロー構築に関する技術として、特許文献１に記載の技術がある。特許文献１は、印刷成果物の仕様を満たすためのワークフローを構成する個々の工程の工程定義が登録されたデータベースから工程を検索して、それらを組み合わせることで、印刷成果物の受注条件を生産できるワークフローを構築する。このとき、特許文献１に記載の技術では、受注条件が異なるワークフローを必要コストとともに顧客に提示することで、顧客に対してディスカウント情報を提示することを可能にしている。これにより、顧客はコストが異なる複数のワークフローから、仕様とコストの比較を行ったうえで所望のワークフローを選択することができる。
【先行技術文献】
【特許文献】
【０００９】
【特許文献１】特開２００８−００９８６３号公報
【非特許文献】
【００１０】
【非特許文献１】ＩＳＯ／ＡＷＩ  ２０６１６−１，  Ｇｒａｐｈｉｃ  ｔｅｃｈｎｏｌｏｇｙ  Ｆｉｌｅ  ｆｏｒｍａｔ  ｆｏｒ  ｑｕａｌｉｔｙ  ｃｏｎｔｒｏｌ  ａｎｄ  ｍｅｔａｄａｔａ  Ｐａｒｔ  １：  Ｐｒｉｎｔ  ｒｅｑｕｉｒｅｍｅｎｔｓ  ｅｘｃｈａｎｇｅ  （ＰＲＸ）  ｈｔｔｐｓ：／／ｗｗｗ．ｉｓｏ．ｏｒｇ／ｓｔａｎｄａｒｄ／６８５６５．ｈｔｍｌ
【非特許文献２】ＩＳＯ／ＣＤ  ２０６１６−２，  Ｇｒａｐｈｉｃ  ｔｅｃｈｎｏｌｏｇｙ  Ｆｉｌｅ  ｆｏｒｍａｔ  ｆｏｒ  ｑｕａｌｉｔｙ  ｃｏｎｔｒｏｌ  ａｎｄ  ｍｅｔａｄａｔａ  Ｐａｒｔ  ２：  Ｐｒｉｎｔ  ｑｕａｌｉｔｙ  ｅｘｃｈａｎｇｅ  （ＰＱＸ），  ｈｔｔｐｓ：／／ｗｗｗ．ｉｓｏ．ｏｒｇ／ｓｔａｎｄａｒｄ／６９５７２．ｈｔｍｌ
【発明の概要】
【発明が解決しようとする課題】
【００１１】
品質条件や品質レポートを伝送するための情報フォーマットは提案されているものの、これらの情報フォーマットを、特許文献１に記載のような印刷システムにどのように適用すべきかについては、従来検討されていなかった。
【００１２】
本発明は、品質条件や品質レポートを伝送するための情報フォーマットを活用し、顧客が求める品質条件を満足する印刷成果物を生産するための作業を自動化することにより、作業工程の効率化を実現する印刷システムを提供することを目的とする。
【課題を解決するための手段】
【００１３】
本発明に係る情報処理装置は以下の構成を備える。すなわち、品質要求データを含む受注データを受注システムから受信する受信手段と、受信した前記品質要求データを解釈する解釈手段と、生産システムが実行すべき品質調整に用いる情報を含むジョブを、前記解釈手段による解釈結果に基づいて生成する生成手段と、前記生産システムに前記ジョブを投入する投入手段とを有し、前記生成手段は、前記受信した品質要求データのデータ形式と異なるデータ形式であって、前記生産システムに応じたデータ形式の品質要求データを含む前記ジョブを生成する。
【発明の効果】
【００１４】
上記の構成により、顧客が求める品質条件を満足する印刷成果物を生産するための作業を自動化し、作業工程の効率化を実現することができる。
【図面の簡単な説明】
【００１５】
【図１】実施形態１に係る全体概要図
【図２】実施形態１に係るシステムの全体構成を説明する概念図
【図３】実施形態１に係るワークフロー管理システムのハードウェア構成を説明するブロック図
【図４】実施形態１に係る生産システムのハードウェア構成を説明するブロック図
【図５】実施形態１に係るソフトウェア構成を説明するブロック図
【図６】実施形態１に係るソフトウェア処理を説明するシーケンス図
【図７】実施形態に係る品質要求の測定パラメータを記録したデータベースの例
【図８】実施形態に係るジョブ管理テーブルを示す図
【図９】実施形態に係る色品質を測定するときの測定チャートを示した図
【図１０】実施形態に係るレジ調整に使用する測定チャートを示した図
【図１１】実施形態に係る画像不良確認とバーコード品質の確認を行う測定チャートを示した図
【図１２】実施形態に係るワークフロー管理サーバと生産システムの動作を示したフローチャート
【図１３】実施形態に係るＰＲＸ解析部の動作を示したフローチャート
【図１４】実施形態に係るプリプレス処理のデータを生成するフローチャート
【図１５】実施形態に係るワークフロー管理サーバと生産システムの動作を示したフローチャート
【図１６】ＰＲＸの概略図
【図１７】ＰＱＸの概略図
【発明を実施するための形態】
【００１６】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１７】
（実施形態１）
印刷成果物の品質条件は顧客あるいは印刷成果物によって様々であり、それらを達成するための手段もまた多数ありうる。たとえば品質条件として、企業のロゴマークに用いるコーポレートカラーについて、顧客から色の再現性と安定性を高い水準で求められたとする。色の再現性とは、顧客が提供した印刷データにおいてＲＧＢやＣＭＹＫといった定義で表現される色が、印刷成果物において同じ色で印刷されているかを示す尺度である。安定性とは、複数ページあるいは複数部の印刷において、同じ色の印刷データが印刷成果物においても変わらない色で印刷されているかを示す尺度である。コーポレートカラーは企業・団体を象徴する色であるから、顧客は高い色再現性と安定性、すなわち顧客が提供した印刷データと同じ色で印刷され、かつどのページでも結果が変わらないことを品質条件として求めることが多い。一方、品質条件を満たすための印刷装置の有無や作業工程は顧客から提供された印刷データと、印刷成果物の仕様とに依存する。コーポレートカラーの例では、顧客が指定した色値が使用する印刷装置やインクの選定に影響する。また、色の安定性についても仕様として指定された用紙や、使用する印刷装置やインクによって、作業工程として印刷装置の色較正やサンプル印刷の確認頻度が変わってくる。
【００１８】
このように、顧客が求める品質条件を満足するための作業工程は印刷成果物の仕様と顧客が求める品質条件によって様々である。前述したＰＲＸのフォーマットを用いて、顧客から受注した印刷成果物に対する品質要求を、デジタルフォーマットで受注した印刷ジョブごとに入力することが可能となる。またＰＱＸを用いて、品質レポートをデジタルフォーマットで印刷ジョブごとに記載できる。したがって、ＰＲＸを解釈して、品質要求を満たすために必要な印刷装置の調整や、品質要求を満たせているかを確認するために必要なサンプル印刷ジョブの生成を行うための品質管理を行うことがジョブごとに可能な印刷システムが必要となる。
【００１９】
本実施形態では、顧客が要求する品質条件を満足する印刷成果物を作成し、また印刷成果物の品質レポートを作成するための印刷システムを提案する。本印刷システムは、顧客が求める品質条件を解析して印刷会社における印刷装置、ソフトウェアの作業工程を策定する。また、本印刷システムは、生産された印刷成果物の品質確認工程を策定する。そして、本印刷システムは、印刷装置とソフトウェアの事前設定を自動実行する。これにより、印刷会社において品質条件を満足するための作業工数を削減し、より簡便に作業工程の決定、伝送と実施を行える印刷システムを提供する。
【００２０】
本実施形態では、品質条件と品質レポートのデータフォーマットとして前述したＰＲＸとＰＱＸを用いる。このような標準フォーマットを用いることで、複数の異なる顧客、あるいは印刷会社間において品質条件と品質レポートの伝送を容易に行える。また、異なる印刷成果物の品質条件や品質レポートの比較も可能となる。
【００２１】
本実施形態では、ＰＲＸのフォーマットで記述された印刷品質要求を、ワークフロー管理サーバ１００が解釈し、要求内容に応じて生産システム１２０に対する印刷品質設定を行う例について説明する。ワークフロー管理サーバ１００は、受注システムサーバ１１０から受注データを取得し、取得した受注データを解釈して、解釈結果に基づいて生産システム１２０に印刷品質設定を行う情報処理装置である。
【００２２】
本実施形態における印刷システムの全体像を示す全体概要図を図１に示す。各装置の役割と印刷システムの動作詳細は図２以降で詳述する。図１において、菱形の項目はデータである。本発明の特徴は、受注システムサーバ１１０が生成するＰＲＸデータを、ワークフロー管理サーバ１００のＰＲＸ解析部５２１が解析し、解析結果に基づく印刷データ、ジョブチケット、動作設定情報、制御指示が生産システム１２０に対して送信される点である。
【００２３】
図２は、本実施形態に係る商業印刷システムの構成を説明する図である。ワークフロー管理サーバ１００は、商業印刷の商品に関して、ワークフロー全体を管理する装置である。
【００２４】
ワークフロー管理サーバ１００は、受注システムサーバ１１０から、印刷データや品質条件情報を含む受注データ（ＰＲＸデータ）を受信する。
【００２５】
そして、ワークフロー管理サーバ１００は、受注システムサーバ１１０から受信したＰＲＸデータを解釈して、受注ジョブ毎に、生産システム１２０の決定や、印刷データのプリプレス処理などを実行する。
【００２６】
また、生産システム１２０での処理対象となるデータ（図１に記載の印刷データ、ジョブチケット、動作設定情報、制御指示）を生成し、生産システム１２０を構成する各デバイスに送信する。生産システム１２０を構成するデバイスについては、後述する。さらに、各デバイスから取得した情報（図１に記載の制御結果）をもとに、ＰＱＸデータを生成し、受注システムサーバ１１０に送信する。
【００２７】
なお、本実施形態は、ワークフロー管理サーバ１００は、ワークフロー管理を行う拠点に設置されるオンプレミスサーバであるものとして説明するが、その限りではない。別の実施形態として、ワークフロー管理サーバ１００をクラウドサーバとして構築し、後述のワークフロー管理端末１０１からは、インターネットを介して接続する構成としてもよい。後述の、受注システムサーバ１１０も同様である。
【００２８】
ワークフロー管理端末１０１は、ワークフロー管理者が操作する端末であって、ワークフロー管理サーバ１００にネットワークを介して接続し、各種機能を実行する。具体的には、ワークフロー管理機能の設定変更や、生産システム１２０のデバイスの状態確認などである。
【００２９】
受注システムサーバ１１０は、商業印刷の商品に関して、エンドユーザから注文を受けるためのシステムを管理する装置である。受注した商品、また、エンドユーザからの注文内容に応じて、印刷用データ、及び、ＰＲＸデータを生成し、ワークフロー管理サーバ１００へと送信する。
【００３０】
受注システム管理端末１１１は、受注システム管理者が操作する端末であって、ネットワークを介して受注システムサーバ１１０に接続し、各種機能を実行する。具体的には、商品別の要求品質設定、受注ジョブごとのステータス確認、受注ジョブごとの成果物の品位情報の閲覧などの機能である。
【００３１】
エンドユーザ端末１１２は、エンドユーザが操作する端末であって、ネットワークを介して受注システムサーバ１１０に接続する。そして、ウェブブラウザなどのＵＩから商品の選択、原稿データの送信、発注などの指示をエンドユーザから受け付け、受注システムサーバ１１０に送信する。
【００３２】
生産システム１２０は、エンドユーザから受注した商業印刷における商品（成果物）を、生産するためのシステムである。詳細には、印刷装置１２１、印刷装置１２１を制御するプリントサーバ１２２、後処理加工装置１２３、検品装置１２４などの装置により構成される。
【００３３】
印刷装置１２１とプリントサーバ１２２は、ネットワーク、または、専用のインターフェースにより接続される。
【００３４】
本実施形態では、後処理加工装置１２３、検品装置１２４は、他のデバイスとネットワークで接続されるニアライン構成であるものとして説明する。ただし、その限りではなく、単独で稼働するオフライン構成でもよい。オフライン構成の場合は、ネットワークと接続可能な不図示の操作端末と接続し、操作端末を介してネットワークと接続する。いずれの場合も、ネットワーク経由で、ワークフロー管理サーバ１００と接続し、各種情報の送受信を行う。
【００３５】
なお、生産システム１２０は、プリントサーバ１２２、後処理加工装置１２３、検品装置１２４のいずれか、または全てを含まない構成の場合もある。
【００３６】
印刷装置１２１は、ワークフロー管理サーバ１００からのデータと指示に基づき、印刷処理を実行する装置である。印刷方式は特に限定されることはなく、電子写真方式、インクジェット方式、その他の方式のいずれでもよい。
【００３７】
生産システム１２０の管理者、あるいは、オペレータは、印刷装置１２１のＵＩを介して、印刷に関する制御を指示することが可能である。
【００３８】
プリントサーバ１２２は、印刷装置１２１を制御するサーバである。一般的な印刷システムと同様に、生産システム１２０の管理者、あるいは、オペレータは、プリントサーバ１２２のＵＩを介して、印刷に関する制御を指示することが可能である。
【００３９】
なお、本実施形態では、後述する色管理部５４５は、プリントサーバ１２２が有するものとして説明するが、その限りではない。例えば、プリントサーバ１２２、印刷装置１２１とネットワークを介して接続可能な、色管理サーバ（不図示）を別途設置し、色管理に関する処理を色管理サーバが実施する形態でもよい。
【００４０】
後処理加工装置１２３は、印刷済みの用紙、用紙束に対して、後処理加工を施すための装置である。例えば、用紙への筋付け（クリース）や折り、あるいは、用紙束に対する断裁、製本処理などである。
【００４１】
検品装置１２４は、最終成果物、あるいは、中間成果物に対して、品質要求を満たしていない成果物を検知し、ユーザへの通知や、生産ラインからの除外などの処理を実行する装置である。
【００４２】
生産オペレータ端末は、上述の生産システム１２０の各種デバイスを操作するオペレータが使用する装置である。デバイスの稼働状況の確認、異常発生時のエラー情報の確認などの機能を有する。別の形態として、外部の端末ではなく、各デバイスが具備するＵＩ操作部が、これらの機能を担う構成でもよい。
【００４３】
生産オペレータ端末１２５は、生産システム管理者が操作する端末であって、ネットワークを介して生産システム１２０に接続し、生産システムの状態監視や管理を行うことができる。
【００４４】
次に、本実施形態に関わる各種装置のハードウェア構成を説明する。図３は、本実施形態に係るワークフロー管理サーバ１００とワークフロー管理端末１０１とを含む、ワークフロー管理システムのハードウェア構成を説明するブロック図である。
【００４５】
まず、ワークフロー管理サーバ１００のハードウェア構成を説明する。ＣＰＵ２０１は、ＲＯＭ２０２又はハードディスク（ＨＤＤ）２０４に記憶された制御プログラムをＲＡＭ２０３に展開し、その展開したプログラムを実行してシステムバス２０６に接続される各種のデバイスとのアクセスを総括的に制御する。ＲＯＭ２０２は、ＣＰＵ２０１が実行可能な制御プログラム等を記憶している。ＲＡＭ２０３は、主としてＣＰＵ２０１の主メモリ、ワークエリア等として機能し、不図示の増設ポートに接続されるオプションＲＡＭ２０３によりメモリ容量を拡張することができるように構成されている。ハードディスク（ＨＤＤ）２０４は、ブートプログラム、各種のアプリケーション、フォントデータ、ユーザファイル、編集ファイル等を記憶する。尚、本実施形態１ではＨＤＤ２０４を用いたが、ＨＤＤの他にＳＤカードや、フラッシュメモリなどを外部記憶装置として利用してもよい。これは、以降に説明するＨＤＤを有する装置も同様である。ネットワークＩ／Ｆ２０５は、ネットワークを経由して、各種装置とデータ通信を行う。
【００４６】
なお、受注システムサーバ１１０の場合も、そのハードウェア構成はワークフロー管理サーバ１００と同様であるため、その説明は省略する。
【００４７】
次に、ワークフロー管理端末１０１のハードウェア構成を説明する。ＣＰＵ２２１は、ＲＯＭ２２２又はハードディスク（ＨＤＤ）２２４に記憶された制御プログラムをＲＡＭ２２３に展開し、その展開したプログラムを実行してシステムバス２２６に接続される各種のデバイスとのアクセスを総括的に制御する。ＲＯＭ２２２は、ＣＰＵ２２１が実行可能な制御プログラム等を記憶している。ＲＡＭ２２３は、主としてＣＰＵ２２１の主メモリ、ワークエリア等として機能し、不図示の増設ポートに接続されるオプションＲＡＭ２２３によりメモリ容量を拡張することができるように構成されている。ハードディスク（ＨＤＤ）２２４は、ブートプログラム、各種のアプリケーション、フォントデータ、ユーザファイル、編集ファイル等を記憶する。ネットワークＩ／Ｆ２２５は、ネットワークを経由して、その他の装置とデータ通信を行う。
【００４８】
なお、受注システム管理端末１１１、エンドユーザ端末１１２、そして、生産オペレータ端末などの、その他の端末装置も、そのハードウェア構成はワークフロー管理端末１０１と同様であるため、説明は省略する。
【００４９】
図４は、本実施形態に係る生産システム１２０のハードウェア構成を説明するブロック図である。
【００５０】
ＣＰＵ３０１は、ＲＯＭ３０２又はハードディスク（ＨＤＤ）３０４に記憶された制御プログラムをＲＡＭ３０３に展開し、その展開したプログラムを実行してシステムバス３０６に接続される各種のデバイスとのアクセスを総括的に制御する。ＲＯＭ３０２は、ＣＰＵ３０１が実行可能な制御プログラム等を記憶している。ＲＡＭ３０３は、主としてＣＰＵ３０１の主メモリ、ワークエリア等として機能し、不図示の増設ポートに接続されるオプションＲＡＭによりメモリ容量を拡張することができるように構成されている。ハードディスク（ＨＤＤ）３０４は、ブートプログラム、各種のアプリケーション、フォントデータ、ユーザファイル、編集ファイル等を記憶する。ネットワークＩ／Ｆ３０５は、ネットワークを経由して、その他の装置とデータ通信を行う。
【００５１】
プリンタＩ／Ｆ３０７は、印刷装置１２１の画像形成部３２１への画像出力を制御する。またプリンタＩ／Ｆ３０７は、印刷装置１２１内部に備わる測定部３２２を制御し、測定結果を受信する。
【００５２】
印刷装置１２１は、少なくとも印刷動作を担う画像形成部３２１と、後述する測定部３２２を有している。他にも、不図示の給紙装置や、インラインの後処理装置が接続された構成でも構わない。
【００５３】
画像形成部３２１は、印刷用データを用紙に出力する。そのハードウェア構成は、一般的な印刷装置１２１と同じである。
【００５４】
測定部３２２は、プリントサーバ１２２、あるいは、印刷装置１２１自体の指示に従い、画像形成部３２１が生成する印刷物を測定する。測定形式は、分光測色、濃度測定、ＣＣＳスキャン、ＣＩＳスキャンなどの既知の測定形式である。
【００５５】
なお、本実施形態では、測定部３２２は、印刷装置１２１内に設けられるものとして説明するが、その限りではない。
【００５６】
印刷装置１２１とは独立して、測定部３２２単体でネットワークに接続する構成でもよい。あるいは、ネットワークに接続可能な不図示の操作端末と接続し、操作端末を介してネットワークに接続する。いずれの場合も、ネットワーク経由で、ワークフロー管理サーバ１００と接続し、各種情報の送受信を行う。
【００５７】
次に、本実施形態に係る各種装置のソフトウェア構成を説明する。
【００５８】
図５（ａ）は、本実施形態に係る受注システムサーバ１１０のソフトウェア構成を説明するブロック図である。これらのソフトウェアモジュールは、ＨＤＤ（不図示）にプログラムとして格納され、ＣＰＵ（不図示）が、そのプログラムをＲＡＭ（不図示）に展開して実行することにより実現される。
【００５９】
受注部５０１は、ネットワークを介して、エンドユーザ端末１１２から商品の注文情報を受信する。注文情報とは、商品種別の情報、入稿された画像データ、品質に係る要求情報などが含まれる。なお、本実施形態では、入稿データとして、ＰＤＦ形式データを例に説明するがその限りではない。生産システム１２０が解釈可能な、その他の一般的な形式の画像データを扱う形態でもよい。
【００６０】
ＰＱＸ制御部５０２は、ワークフロー管理サーバ１００からＰＱＸデータを受け取り、所定の制御を行う。例えば、データベースへの記録、エンドユーザへ提示する情報への変換処理、などである。
【００６１】
ＰＲＸ生成部５０３は、受注部５０１から受信した注文情報を解析し、ＰＲＸデータを生成する。また、生成したＰＲＸデータを、ワークフロー管理サーバ１００へと送信する。
【００６２】
データ管理部５０４は、注文情報、ＰＲＸデータ、ＰＱＸデータなどの情報を記録する。また、データ管理部５０４は、入稿された画像データ、商品種別情報、及び、ＰＲＸデータをワークフロー管理サーバ１００へと送信する。さらにデータ管理部５０４は、各種装置との間の、その他のデータ送受信を実行する。
【００６３】
図５（ｂ）は、本実施形態に係るワークフロー管理サーバ１００のソフトウェア構成を説明するブロック図である。これらのソフトウェアモジュールは、ＨＤＤ２０４にプログラムとして格納され、ＣＰＵ２０１が、そのプログラムをＲＡＭ２０３に展開して実行することにより実現される。
【００６４】
ＰＲＸ解析部５２１は、受注システムサーバ１１０から受信したＰＲＸデータを解析し、印刷品質要件や必要とされるプリプレス処理の一部を特定する。例えば、印刷品質要件とは、所定の色パッチの測定結果から得られる平均色差が、特定の基準内に収まっていることである。また、プリプレス処理とは、例えば、画像データの余白部に、色品位確認処理で測色対象となる、前記色パッチ画像を追加する、などの処理である。
【００６５】
工程管理部５２２は、受注システムサーバ１１０から受信した商品種別情報、及び、ＰＲＸ解析部５２１の解析結果情報を用いて、生産システム１２０の決定や、プリプレス制御部５２４への命令を実行する。商品種別によっては、商品が複数種のパーツから構成される場合がある。この場合、工程管理部５２２は、１つの注文から、パーツ単位でジョブを生成する必要がある。
【００６６】
また、工程管理部５２２は、生産システム１２０での各デバイスが参照するジョブチケットデータを生成する。本実施形態では、ジョブチケットデータとして、既知のＪＤＦデータを用いて説明するが、その限りではない。生産システム１２０が解釈可能な、その他の既知のジョブチケットデータ形式を用いる構成でもよい。
【００６７】
また、工程管理部５２２は、印刷品質要件の情報を参照し、後処理加工装置１２３や検品装置１２４の動作設定情報を生成する。
【００６８】
さらに、工程管理部５２２は、後述のプリプレス処理後のＰＤＦデータ、ＪＤＦデータ、および、各デバイスの動作設定情報を、生産システム１２０へ送信する。
【００６９】
ＰＱＸ生成部５２３は、生産システム１２０から受信した各種情報を参照し、ＰＱＸデータを生成し、これを、受注システムサーバ１１０へと送信する。詳細は後述する。
【００７０】
プリプレス制御部５２４は、工程管理部５２２からの指示に基づき、入稿画像データに対してプリプレス処理を実行し、処理後のＰＤＦデータを工程管理部５２２へと送信する。
【００７１】
データ管理部５２５は、受注システムサーバ１１０へＰＱＸデータを送信する。また、データ管理部５２５は生産システム１２０へＰＤＦデータ、ＪＤＦデータ、そして、生産システム１２０を構成する各種装置に対する指示情報を送信する。さらに、データ管理部５２５は各種装置との間のその他のデータ送受信を実行する。
【００７２】
図５（ｃ）は、本実施形態に係る生産システム１２０のソフトウェア構成を説明するブロック図である。これらのソフトウェアモジュールは、生産システム１２０を構成する各種デバイスにおいて、ＨＤＤ３０４にプログラムとして格納され、ＣＰＵ３０１が、そのプログラムをＲＡＭ３０３に展開して実行することにより実現される。なお、生産システム１２０は印刷装置１２１、プリントサーバ１２２、後処理加工装置１２３、検品装置１２４を含むが、本実施例では前記４つのハードウェアを、生産システム１２０という一つのハードウェアとみなして説明する。
【００７３】
印刷制御部５４１は、ワークフロー管理サーバ１００から受信した情報（ＰＤＦ，ＪＤＦ）を用いて、印刷制御を実行する。また、印刷制御部５４１は、印刷品位を調整する調整機能も有しており、ワークフロー管理サーバ１００、プリントサーバ１２２、あるいは、オペレータ端末のいずれかから受信した制御指示に応じて、調整機能を実行する。
【００７４】
また、印刷制御部５４１は、測定制御部５４１１を有する。測定制御部５４１１は、ワークフロー管理サーバ１００、プリントサーバ１２２、あるいは、オペレータ端末のいずれかから受信した制御指示に応じて、測定部３２２による測定制御を実行する。
【００７５】
後処理加工制御部５４２は、ワークフロー管理サーバ１００から受信した制御指示に応じて、後処理加工制御を実行する。
【００７６】
検品制御部５４３は、ワークフロー管理サーバ１００から受信した制御指示に応じて、検品装置１２４による検品制御を実行する。
【００７７】
検品制御部５４３は、検品装置１２４内のセンサで読み取った画像データと、基準となる画像データとを比較する。比較の結果、所定の許容範囲を超える差分が検知された場合は、品質要求を満たさない検品対象物として特定し、例えば、ユーザへの通知などの、所定の制御を行う。
【００７８】
データ管理部５４４は、ワークフロー管理サーバ１００へ、生産システム１２０の各種デバイスの制御結果などの情報を送信する。さらにデータ管理部５４４は、各種装置との間の、その他のデータ送受信を実行する。なお、データ管理部５４４は、各デバイスに個別に備わる形態でもよい。
【００７９】
色管理部５４５は、印刷装置１２１とプリントサーバ１２２による出力物の色品質を管理する。具体的には、既知の色調整処理や色品位の確認処理の制御を行う。
【００８０】
図６は、実施形態に係るソフトウェア処理を説明するシーケンス図である。
【００８１】
６０１にて、受注部５０１は、エンドユーザからの注文を受注する。注文の内容としては、印刷データとしてのＰＤＦと、成果物に関する商品種別が含まれる。商品種別とは、受注システムサーバ１１０があらかじめ定義している成果物の種類を表す情報である。例えば、「フォトブック」と「名刺」という２つの商品種別を受注システムサーバ１１０が定義しているとする。「フォトブック」という商品種別は、仕上がりサイズ「Ａ５」、製本種類「無線綴じ」、本文の用紙種類「光沢紙」、本文仕上げ「ラミネート加工」という成果物の種類を表す。「名刺」という商品種別は、仕上がりサイズ「名刺」、製本種類「なし」、用紙種類「上質紙」という成果物の種類を表す。このような商品種別を設けることで、受注システム、ワークフロー管理サーバ１００、生産システム１２０にて生産する商品の種類を定義する。なお、本実施例では、エンドユーザが「フォトブック」を選択したとして説明する。また、本実施例では受注システムサーバ１１０が商品種別を定義している構成として説明するが、その限りではなく、エンドユーザからの注文を営業が手動で入力するような構成にしてもよい。
【００８２】
６０２にて、受注部５０１は、６０１でエンドユーザから受注した商品種別をＰＲＸ生成部５０３へ送信する。エンドユーザが商品種別から「フォトブック」を選択した場合は、エンドユーザの選択が「フォトブック」であることをＰＲＸ生成部５０３へ送信する。
【００８３】
６０３にて、ＰＲＸ生成部５０３は、６０２にて受注部５０１から受信した商品種別からＰＲＸを生成する。まず、本処理で生成するＰＲＸについて概要を説明する。
【００８４】
図１６に例示されるように、ＰＲＸはＭｅｓｓａｇｅＩｎｆｏ、ＢｕｓｉｎｅｓｓＩｎｆｏ、ＱｕａｌｉｔｙＳｐｅｃなどの品質に対する要求から構成されている。ＱｕａｌｉｔｙＳｐｅｃは品質仕様および評価基準を含むフィールドから構成されている。ＢａｓｉｓＯｆＣａｌｃｕｌａｔｉｏｎは印刷品質のスコアやグレードを特定するためのバイヤーが指定した計算式の情報を表す。ここでバイヤーとは、エンドユーザあるいはエンドユーザの要望を確認してシステムへの情報の入力を行う仲介者などである。ＢａｓｉｓＯｆＣａｌｃｕｌａｔｉｏｎは、バイヤーが入力した情報に基づいて、受注システムサーバ１１０が自動的に設定することとしてもよい。ＯｖｅｒａｌｌＧｒａｄｉｎｇＳｃａｌｅは全体的なスコアやグレードの意味や範囲を表す。ＭｉｎｉｍｕｍＡｃｃｅｐｔａｂｌｅＲａｎｋは許容可能な最低品質レベルを表す。ＱｕａｌｉｔｙＰａｒａｍｅｔｅｒＳｅｔは色・レジ・画像不良・バーコードごとのスコア基準等を表す。ＱｕａｌｉｔｙＰａｒａｍｅｔｅｒＳｅｔＴｙｐｅは色・レジ・画像不良・バーコードなどの品質仕様の種類を表す。ＰａｒａｍｅｔｅｒＳｅｔＮａｍｅは品質仕様の名称を表す。ＰａｒａｍｅｔｅｒＳｅｔＳｃｏｒｉｎｇＳｃａｌｅはバイヤーのスコア基準定義を表す。
【００８５】
本実施例ではＱｕａｌｉｔｙＳｐｅｃの一部分を使用する構成として説明するが、その限りでなく、ＰＲＸの他のフィールドを使用するような構成にしてもよい。第一のＱｕａｌｉｔｙＰａｒａｍｅｔｅｒＳｅｔの例として、印刷制御部５４１による色変動検査がある。
【００８６】
印刷制御部５４１は測定制御部５４１１を有しており、生産しながら生産システム１２０の色変動を監視することができる。印刷色基準の一例としてＪａｐａｎＣｏｌｏｒがある。この基準を満たしている生産システム１２０は、印刷物の品質が一定以上であることが証明できる。本実施例では、ジョブ毎にＪａｐａｎＣｏｌｏｒの基準を満たしていることを確認することで、色変動検査を行う。
【００８７】
生産システム１２０が生産した印刷物の測色値と、ＪａｐａｎＣｏｌｏｒ規定値との色差ΔＥ００（ＣＩＥ  ＤＥ２０００）の平均値によって、色変動を検査する。この場合、ＰａｒａｍｅｔｅｒＳｅｔＮａｍｅに「色変動検査」を記載する。ＱｕａｌｉｔｙＰａｒａｍｅｔｅｒＳｅｔＴｙｐｅに「Ｃｏｌｏｒ」を記載する。ＰａｒａｍｅｔｅｒＳｅｔＳｃｏｒｉｎｇＳｃａｌｅに以下を記載する。「ＤｉｓｐｌａｙＬａｂｅ：ＲａｎｋＣｏｌｏｒ１、Ｒａｎｋ：１、ＶａｌｕｅＲａｎｇｅ：ΔＥ００平均値が４以上」。「ＤｉｓｐｌａｙＬａｂｅ：ＲａｎｋＣｏｌｏｒ２、Ｒａｎｋ：２、ＶａｌｕｅＲａｎｇｅ：ΔＥ００平均値が４未満かつ３以上」。「ＤｉｓｐｌａｙＬａｂｅ：ＲａｎｋＣｏｌｏｒ３、Ｒａｎｋ：３、ＶａｌｕｅＲａｎｇｅ：ΔＥ００平均値が３未満」。本実施形態では、Ｒａｎｋの数値が高いほど、品質が高いことを表す。また、本ＱｕａｌｉｔｙＰａｒａｍｅｔｅｒＳｅｔ内のＭｉｎｉｍｕｍＡｃｃｅｐｔａｂｌｅＲａｎｋに「Ｒａｎｋ：２」とすることで、最低品質レベルを記載することができる。
【００８８】
第二のＱｕａｌｉｔｙＰａｒａｍｅｔｅｒＳｅｔの例として、検品装置によるトナー飛び散りの外観検査がある。生産システム１２０による生産が始まる前に、検品装置に付随しているカメラによって正解画像を取得し、検品装置に登録する。生産中は、検品装置がカメラによって印刷結果画像を取得し、正解画像と比較することで、トナーの飛び散りを検査する。この場合、ＰａｒａｍｅｔｅｒＳｅｔＮａｍｅに「飛び散り検査」を記載する。ＱｕａｌｉｔｙＰａｒａｍｅｔｅｒＳｅｔＴｙｐｅに「Ｄｅｆｅｃｔｓ」を記載する。ＰａｒａｍｅｔｅｒＳｅｔＳｃｏｒｉｎｇＳｃａｌｅに以下を記載する。「ＤｉｓｐｌａｙＬａｂｅ：ＲａｎｋＤｅｆｅｃｔｓ１、Ｒａｎｋ：１、ＶａｌｕｅＲａｎｇｅ：飛び散り直径３ｍｍ以上」。「ＤｉｓｐｌａｙＬａｂｅ：ＲａｎｋＤｅｆｅｃｔｓ２、Ｒａｎｋ：２、ＶａｌｕｅＲａｎｇｅ：飛び散り直径３ｍｍ未満かつ２ｍｍ以上」。「ＤｉｓｐｌａｙＬａｂｅ：ＲａｎｋＤｅｆｅｃｔｓ３、Ｒａｎｋ：３、ＶａｌｕｅＲａｎｇｅ：飛び散り直径２ｍｍ未満」。Ｒａｎｋの数値が高いほど、品質が高いことを表す。また、本ＱｕａｌｉｔｙＰａｒａｍｅｔｅｒＳｅｔ内のＭｉｎｉｍｕｍＡｃｃｅｐｔａｂｌｅＲａｎｋに「Ｒａｎｋ：２」とすることで、最低品質レベルを記載することができる。
【００８９】
上記のようなＱｕａｌｉｔｙＰａｒａｍｅｔｅｒＳｅｔを利用して、ＢａｓｉｓＯｆＣａｌｃｕｌａｔｉｏｎによって品質のランクを計算する。例えば、ＢａｓｉｓＯｆＣａｌｃｕｌａｔｉｏｎに色変動検査及び飛び散り検査のＲａｎｋによる全体品質の計算式を記載する。例えば、「ＴｏｔａｌＲａｎｋ＝Ｒａｎｋ（色変動検査）＊０．６＋Ｒａｎｋ（飛び散り検査）＊０．３」のような計算式を記載する。
【００９０】
ＴｏｔａｌＲａｎｋは全体品質を表し、Ｒａｎｋ（ＰａｒａｍｅｔｅｒＳｅｔＮａｍｅ）はＰａｒａｍｅｔｅｒＳｅｔＮａｍｅに対応するＲａｎｋを表すこととする。上記のＢａｓｉｓＯｆＣａｌｃｕｌａｔｉｏｎを使用して計算された品質のランクの意味を、ＯｖｅｒａｌｌＧｒａｄｉｎｇＳｃａｌｅによって表す。「ＤｉｓｐｌａｙＬａｂｅ：Ｐｏｏｒ、Ｒａｎｋ：１」「ＤｉｓｐｌａｙＬａｂｅ：Ｇｏｏｄ、Ｒａｎｋ：２」「ＤｉｓｐｌａｙＬａｂｅ：Ｅｘｃｅｌｌｅｎｔ、Ｒａｎｋ：３」のように記載する。ここまでで説明した品質基準を表すようなＰＲＸは、ＰＲＸ生成部５０３が固定的な基準値として保持していることとして説明する。
【００９１】
ＰＲＸ生成部５０３は、６０２にて受信した商品種別から、ＭｅｓｓａｇｅＩｎｆｏ、ＢｕｓｉｎｅｓｓＩｎｆｏ、ＱｕａｌｉｔｙＳｐｅｃなどを決定して、ＰＲＸを生成する。本実施例では、ＰＲＸ生成部５０３は、商品種別によってＭｉｎｉｍｕｍＡｃｃｅｐｔａｂｌｅＲａｎｋを決定する。ＱｕａｌｉｔｙＳｐｅｃ内のＭｉｎｉｍｕｍＡｃｃｅｐｔａｂｌｅＲａｎｋは、ＯｖｅｒａｌｌＧｒａｄｉｎｇＳｃａｌｅによって定義された品質のランクで表すこととする。例えば、「フォトブック」という商品種別の場合は、ＭｉｎｉｍｕｍＡｃｃｅｐｔａｂｌｅＲａｎｋを「Ｇｏｏｄ」に決定する。また、ＱｕａｌｉｔｙＰａｒａｍｅｔｅｒＳｅｔ内に存在するＭｉｎｉｍｕｍＡｃｃｅｐｔａｂｌｅＲａｎｋも商品種別によって決定する。ＰａｒａｍｅｔｅｒＳｅｔＮａｍｅが「色変動検査」のＭｉｎｉｍｕｍＡｃｃｅｐｔａｂｌｅＲａｎｋは「ＲａｎｋＣｏｌｏｒ３」のように記載する。ＰａｒａｍｅｔｅｒＳｅｔＮａｍｅが「飛び散り検査」のＭｉｎｉｍｕｍＡｃｃｅｐｔａｂｌｅＲａｎｋは「ＲａｎｋＤｅｆｅｃｔｓ２」のように記載する。そうすることで、ＰＲＸを受けた各モジュールは、印刷の品質要求を解釈できるようになり、品質要求に応じた処理が可能となる。
【００９２】
６０４にて、ＰＲＸ生成部５０３は、６０３で生成したＰＲＸをデータ管理部５０４へ送信する。
【００９３】
６０５にて、受注部５０１は、６０１でエンドユーザから受注したＰＤＦと商品種別をデータ管理部５０４へ送信する。
【００９４】
６０６にて、受注システムサーバ１１０のデータ管理部５０４は、エンドユーザから受注したＰＤＦ及び商品種別と、ＰＲＸ生成部５０３が生成したＰＲＸを、ワークフロー管理サーバ１００のデータ管理部５２５へ送信する。
【００９５】
６０７にて、ワークフロー管理サーバ１００のデータ管理部５２５は、受注システムサーバ１１０のデータ管理部５０４から受信したＰＤＦと商品種別とＰＲＸを工程管理部５２２へ送信する。
【００９６】
６０８にて、工程管理部５２２は、ＰＲＸ解析部５２１に対してＰＲＸ解析を指示する。その際に６０７にて受信したＰＲＸをＰＲＸ解析部５２１に送信する。
【００９７】
６０９にて、ＰＲＸ解析部５２１は、工程管理部５２２から受信したＰＲＸをもとに、印刷品質要件とプリプレス処理の内容を決定する。本実施例の場合、ＱｕａｌｉｔｙＰａｒａｍｅｔｅｒＳｅｔＴｙｐｅによって、ＱｕａｌｉｔｙＳｐｅｃがどのモジュールで実行されるかを判断する。ＱｕａｌｉｔｙＰａｒａｍｅｔｅｒＳｅｔＴｙｐｅが「Ｃｏｌｏｒ」の場合は測定制御部５４１１によって実行され、「Ｄｅｆｅｃｔｓ」の場合は検品制御部５４３によって実行されるとする。６０３にてＰＲＸに記載されたＰａｒａｍｅｔｅｒＳｅｔＮａｍｅの「色変動検査」、ＱｕａｌｉｔｙＰａｒａｍｅｔｅｒＳｅｔＴｙｐｅの「Ｃｏｌｏｒ」、ＭｉｎｉｍｕｍＡｃｃｅｐｔａｂｌｅＲａｎｋの「ＲａｎｋＣｏｌｏｒ３」が解析される。印刷制御部５４１にて、ΔＥ００の検査を行う。そして、最低品質基準はΔＥ００平均値が３未満。」という印刷品質要件が特定される。また、６０３にて別途ＰＲＸに記載されたＱｕａｌｉｔｙＳｐｅｃＮａｍｅの「飛び散り検査」、ＱｕａｌｉｔｙＰａｒａｍｅｔｅｒＳｅｔＴｙｐｅの「Ｄｅｆｅｃｔｓ」、ＭｉｎｉｍｕｍＡｃｃｅｐｔａｂｌｅＲａｎｋの「ＲａｎｋＤｅｆｅｃｔｓ２」が解析さる。そして、「検品装置にて、飛び散り幅の検査が必要。最低品質基準は飛び散り直径３ｍｍ未満かつ２ｍｍ以上。」という印刷品質要件が特定される。さらに、ＰＲＸ解析部５２１は、印刷品質要件に応じて、プリプレス処理の有無を判断する。
【００９８】
前述の「印刷制御部５４１にて、ΔＥ００の検査を行う。最低品質基準はΔＥ００平均値が３未満。」という印刷品質要件を実施するためには、生産システム１２０による指定チャートの印刷と、チャートの測色が必要となる。本実施例では、用紙の端にパッチを差し込み、生産システム１２０に内蔵されている測定制御部５４１１によってパッチを測色することで色変動検査を行う。具体的には、ＰＤＦに対してＪａｐａｎＣｏｌｏｒ認証用のチャート（例えば５４個のパッチ）を埋め込む処理が必要となる。そのため、ＰＲＸ解析部５２１は、このパッチ埋め込み処理を、プリプレス処理実行時に必要な追加処理として、処理の内容を保持する。
【００９９】
本実施形態では、パッチを差し込む処理が必要な場合を例に説明したが、その限りでなく、パッチのみを配置したパッチチャートを生成して測色するような形態であっても良い。この場合、プリプレス処理実行時に追加で実行させるよう構成する必要はなく、生産システムが備える色管理部においてパッチチャートを生成してパッチ読み取りを実行する形態であっても良い。この時、ＰＲＸ解析部５２１は、工程管理部５２２に対し、生産システム側でパッチチャートを生成して読み取りを行わせるような指示が出せるよう、工程管理部５２２に対する指示の内容を保存する。
【０１００】
６１０にて、ＰＲＸ解析部５２１は、６０９にてＰＲＸから解析した印刷品質要件とプリプレス処理の情報を、工程管理部５２２へ送信する。
【０１０１】
６１１にて、工程管理部５２２は、６０７にて受信した商品種別と、６０９にて決定した印刷品質要件をもとに、ワークフロー管理サーバ１００に接続されている複数の生産システム１２０の中から、実際に生産を行う生産システム１２０を決定する。例えば、フォトブックの場合、生産システム１２０による印刷、製本後に綴じ辺以外の断裁が行われる。また、無線綴じが行われるフォトブックの場合、表紙の用紙の大きさは、本文の用紙の２倍の大きさが必要となる。したがって、仕上がりサイズにＡ５、本文の用紙種類に光沢紙が指定されているようなフォトブックの場合、印刷後の断裁と、表紙用のＡ４サイズ用紙への印刷を考慮する必要がある。このときは、Ａ４サイズ以上の光沢紙への印刷に対応できる生産システム１２０が工程管理部５２２によって選択される。また、フォトブックの表紙としてハードカバーが設定されており、前述で選択された生産システム１２０で印刷できない場合がある。その場合は、ＰＤＦを表紙と本文に分割し、表紙用のジョブと本文用のジョブを複数の生産システム１２０で印刷するようにしてもよい。なお、ワークフロー管理サーバ１００の管理下にある生産システム１２０の印刷能力は、データ管理部５２５が保持しており、工程管理部５２２は必要に応じてデータ管理部５２５から印刷能力を取得できるものとする。
【０１０２】
また、本実施形態では、使用可能な用紙と品質要求を満たすことが可能かどうか、という観点で生産システムを決定しているがこの限りではない。例えば、印刷ジョブの出力枚数（部数）と、生産システムの生産性から決定するよう構成してもよい。
【０１０３】
６１２にて、工程管理部５２２は、６０６にて受信したＰＤＦと商品種別、及び、６１１にて決定した生産システム１２０をプリプレス制御部５２４へ送信し、プリプレス処理を指示する。プリプレス処理の指示には、６０９にてＰＲＸ解析部５２１がＰＲＸから決定したプリプレス処理の内容も含まれる。
【０１０４】
６１３にて、プリプレス制御部５２４は、６１２にて受信したプリプレス指示から、プリプレス処理を行う。プリプレス処理の内容には大きく二種類ある。第一の処理は、商品種別、生産システム１２０、ＰＤＦから決まるプリプレス処理である。具体的には、面付処理などがあげられる。例えば、仕上がりサイズＡ５の商品種別を含むフォトブックの場合、表紙はＡ４、本文はＡ５の用紙に対して印刷位置を指定する。表紙に関しては、ＰＤＦの中で表紙に指定されているページをＡ４用紙の両面に面付を行う。本文に関しては、ＰＤＦの中で本文に指定されているページをＡ５用紙に指定されたページ順となるように両面に面付する。
【０１０５】
他の例として、中綴じ製本が指定された場合には、指定されたページ順となるように、面付が行われる。第二の処理は、６０９にてＰＲＸから決定したプリプレス処理である。第二のプリプレス処理の具体的内容については、６０９にて説明済なのでここでの説明は省略する。
【０１０６】
６１４にて、プリプレス処理部は、６１３にて生成したプリプレス処理後のＰＤＦを工程管理部５２２へ送信する。
【０１０７】
６１５にて、工程管理部５２２は、ＪＤＦを作成する。例えばフォトブックの場合は、仕上がりサイズ「Ａ５」、製本種類「無線綴じ」、本文の用紙種類「光沢紙」、本文仕上げ「ラミネート加工」を意味するジョブ情報を、ＪＤＦに対して設定する。また、６０９にてＰＲＸ解析部５２１が解析し、６１０にて受け取った印刷品質要件の中に、印刷制御部５４１による測定検査がある場合は、その測定指示をＪＤＦに対して設定する。本実施例では印刷品質要件として「印刷制御部５４１にて、ΔＥ００の検査を行う。最低品質基準はΔＥ００平均値が３未満。」があるため、ＪＤＦにてジョブ中に測定制御部５４１１で測定を行うように指示する。
【０１０８】
６１６にて、工程管理部５２２は、６０９にて決定した印刷品質要件をもとに、調整指示を作成する。調整指示には、生産システム１２０が生産を始める前に行う必要がある事前調整が記載されている。事前調整の例として、生産システム１２０における表裏レジの調整や、キャリブレーションの実行指示などがある。本実施例では、フォトブックの印刷品質要件として「印刷制御部５４１にて、ΔＥ００の検査を行う。最低品質基準はΔＥ００平均値が３未満。」というものが設定されている。そのため、例えば、この品質要求を満たせるような事前調整として、そのジョブが使う用紙（光沢紙）でのキャリブレーション指示を、ジョブ開始前の調整指示として作成する。なお、調整指示は、調整指示書として作成することで生産システム１２０を管理しているオペレータに実行させてもよいし、ジョブの中に調整指示の内容を表す情報を埋め込むことで生産システム１２０に実行させてもよい。
【０１０９】
また、本実施形態では、品質要求を満たすための調整処理として、表裏レジ調整やキャリブレーションを例に説明しているがこの限りでなく、階調補正や濃度補正、用紙ごとに保持している印刷装置特有の調整（光沢度補正や転写電圧の調整など）であっても良い。
【０１１０】
６１７にて、工程管理部５２２は、６０９にて決定した印刷品質要件をもとに、後処理加工設定を作成する。この後処理加工設定は、生産システム１２０の後処理制御部にて実行される後処理の種類を表す。例えばフォトブックの場合、製本方法として無線綴じ、本文仕上げとしてラミネート加工の指示が作成される。
【０１１１】
６１８にて、工程管理部５２２は、６０９にて決定した印刷品質要件をもとに、検品設定を作成する。この検品設定は、生産システム１２０の検品制御部５４３にて実行される検品の種類や基準を表す。本実施例の場合、６０９にてＰＲＸ解析部５２１によって解析された「検品装置にて、飛び散り幅の検査が必要。最低品質基準は飛び散り直径３ｍｍ未満かつ２ｍｍ以上。」という印刷品質要件を、検品設定として作成する。ただし、検品の品質基準は飛び散りに限らず、最大濃度や印字位置ずれ、フィニッシング処理の精度など、他の品質基準を含めても良い。
【０１１２】
６１９にて、工程管理部５２２は、ＰＤＦ、ＪＤＦ，調整指示、後処理加工設定、検品設定を生産システム１２０へ送信するために、データ管理部５２５へ送信する。
【０１１３】
６２０にて、データ管理部５２５は、６１３にて作成したプリプレス処理後のＰＤＦ、６１５にて作成したＪＤＦ、６１６にて作成した調整指示を、印刷制御部５４１へ送信する。
【０１１４】
６２１にて、印刷制御部５４１は、６２０にて受信した調整指示を実行する。前述の通り、調整指示は、調整指示書として作成することで生産システム１２０を管理しているオペレータに実行させてもよいし、ジョブの中に調整指示の内容を表す情報を含めることで生産システム１２０に実行させてもよい。
【０１１５】
６２２にて、印刷制御部５４１は、６２０にて受信したＪＤＦから、測定設定とジョブ設定を解析する。測定設定とジョブ設定は、６１５にて工程管理部５２２によって生成されたものが呼び出される。
【０１１６】
６２３にて、印刷制御部５４１は、６２０にて受信したＰＤＦとＪＤＦから印刷処理を実行する。このとき、６２２にて解析した測定設定に基づき、測定制御部５４１１によって測定が行われる。
【０１１７】
６２４にて、印刷制御部５４１は、６２３にて測定した測定結果をワークフロー管理サーバ１００のデータ管理部５２５へ送信する。この測定結果は後述するＰＱＸ生成部５２３において、ＰＱＸを生成するために使用される。このとき、測色が行われた箇所も送信する。
【０１１８】
６２５にて、データ管理部５２５は、６１７にて作成した後処理加工を、後処理加工制御部５４２へ指示する。例えばフォトブックの場合、製本方法として無線綴じ、本文仕上げとしてラミネート加工が指示される。
【０１１９】
６２６にて、後処理加工制御部５４２は、６２５にてワークフロー管理サーバ１００のデータ管理部５２５から指示された後処理加工を実行する。例えばフォトブックの場合、６２３にて印刷された印刷物に対して、無線綴じ、ラミネート加工の後処理を実行する。
【０１２０】
６２７にて、後処理加工制御部５４２は、後処理加工の結果をワークフロー管理サーバ１００のデータ管理部５２５へ送信する。結果には、後処理加工を実行したジョブのＩＤや、後処理加工が終了したことを示す情報が含まれる。
【０１２１】
６２８にて、データ管理部５２５は、６１８にて作成した検品設定を検品制御部５４３へ送信する。
【０１２２】
６２９にて、検品制御部５４３は、６２８にて受信した検品設定をもとに、検品を実行する。本実施例の場合、検品設定にて設定された「検品装置にて、飛び散り幅の検査が必要。最低品質基準は飛び散り直径３ｍｍ未満かつ２ｍｍ以上。」を実施する。検品結果は、ＯＫ（良品）もしくは、ＮＧ（不良品）で判定される。検品結果は、後述の６３０にて、ワークフロー管理サーバ１００のデータ管理部５２５へ送信する。
【０１２３】
６３０にて、検品制御部５４３は、６２９にて実行された検品結果を、ワークフロー管理サーバ１００のデータ管理部５２５へ送信する。なお、公知であるため説明を省略するが、もし検品制御部５４３によって検品設定の基準値を満たさない成果物（不良品）が発生し、ＮＧと判断された場合、ワークフロー管理サーバ１００は、不良品を補うための再生産を生産システム１２０へ指示する。
【０１２４】
６３１にて、データ管理部５２５は、６２４にて受信した測定結果と、６３０にて受信した検品結果を、ＰＱＸ生成部５２３へ送信する。
【０１２５】
６３２にて、ＰＱＸ生成部５２３は、６３１にて受信した測定結果と検品結果からＰＱＸを作成する。まず、本処理で生成するＰＱＸについて概要を説明する。図１７に例示されるように、ＰＱＸはＭｅｓｓａｇｅＩｎｆｏ、ＰｒｉｎｔｅｒＩｎｆｏ、ＩｎｋＣｏｌｌｅｃｔｉｏｎ、ＳａｍｐｌｅＣｏｌｌｅｃｔｉｏｎなどの生産に関する情報から構成されている。ＰＱＸにおける代表的なフィールドについて説明する。ＳａｍｐｌｅＣｏｌｌｅｃｔｉｏｎは生産のレポート情報に関するフィールドであるＳａｍｐｌｅの集合から構成されている。ＣｏｌｏｒＲｅｐｏｒｔは色に関するレポート情報を表す。ＤｅｆｅｃｔＲｅｐｏｒｔは画像不良に関するレポート情報を示す。本実施例ではＳａｍｐｌｅＣｏｌｌｅｃｔｉｏｎの一部分を使用する構成として説明するが、その限りでなく、ＰＱＸの他のフィールドを使用するような構成にしてもよい。
【０１２６】
第一のＳａｍｐｌｅの例として、ＣｏｌｏｒＲｅｐｏｒｔがある。本実施例では６２３にて、印刷制御部５４１がジョブ中で印刷物の測色を行っている。その測色結果と測色箇所が６３１にてデータ管理部５２５を経て受信され、色に関するレポート情報を作成する。例えば、ＰｏｓｉｔｉｏｎＯｎＳａｍｐｌｅは印刷制御部５４１によって測色が行われた箇所が記載される。具体的な測色結果はＣｘＦ形式で保存され、ＣｘＦＳａｍｐｌｅＯｂｊｅｃｔＩｄＬｉｎｋによって、ＣｏｌｏｒＲｅｐｏｒｔと測色結果が紐づけられる。
【０１２７】
第二のＳａｍｐｌｅの例として、ＤｅｆｅｃｔＲｅｐｏｒｔがある。本実施例では６２９にて、検品制御部５４３がジョブ中で成果物の検品を行っている。その検品結果と検品箇所が６３１にてデータ管理部５２５を経て受信され、画像不良に関するレポート情報を作成する。例えば、ＰｏｓｉｔｉｏｎＯｎＳａｍｐｌｅは検品制御部５４３によって画像不良が検出された箇所が記載される。画像不良の大きさはＤｅｆｅｃｔＸＭｅａｓｕｒｅ、ＤｅｆｅｃｔＹＭｅａｓｕｒｅ、ＤｅｆｅｃｔＵｏＭに記載される。また、画像不良数はＤｅｆｅｃｔＣｏｕｎｔに記載される。
【０１２８】
６３３にて、ＰＱＸ生成部５２３は、６３２にて作成したＰＱＸをデータ管理部５２５へ送信する。
【０１２９】
６３４にて、データ管理部５２５は、６３３にて受信したＰＱＸを受注システムサーバ１１０のデータ管理部５０４へ送信する。
【０１３０】
６３５にて、データ管理部５０４は、６３４にて受信したＰＱＸをデータ管理部５０４内に保存する。ここで保存されたＰＱＸは、必要に応じて受注システムサーバ１１０の管理者が閲覧したり、他のシステムを経由してエンドユーザへ公開したりすることなどが可能となる。
【０１３１】
以上のように構成することで、受注ジョブごとに多岐に渡るエンドユーザごとの品質要求に対して、品質確認を行いながら、必要となる調整を実施することが可能となり、ジョブごとの品質満足度を効率的に高めることが可能となる。
【０１３２】
ここで、本実施例では、生産システム１２０として印刷装置１２１を例にとって説明してきたが、この限りでなく、受注から生産まで行う生産システム全てに対しても適用可能である。
【０１３３】
（実施形態２）
実施形態２では、作業者がデバイスの品質管理アプリケーションを使い、手動で生産システムの測色やレジずれを測定し、印刷装置の色校正やレジの校正を手動で行う手間を低減するための構成の詳細について説明する。本実施形態では、特に、顧客の品質要望を基に測定パラメータを決定して設定する作業を自動化するための処理について説明する。
【０１３４】
本実施形態に係るシステム構成は、実施形態１において説明した内容と同様であるため、説明を省略する。
【０１３５】
図７は、データ管理部５２５が保持する品質要求の測定パラメータを保持したデータベースを示す図である。本実施例ではワークフロー管理サーバは品質要求に対応するデータベースをあらかじめ持つ。また、ＰＲＸで指定される品質要求の種類（ＰａｒａｍｅｔｅｒＳｅｔＴｙｐｅ）として、色品質の確認、レジ確認、画像不良の確認、バーコード品質確認を行う。それぞれの確認で印刷するチャートや印刷データは後述の図９、図１０、及び、図１１を用いて説明する。
【０１３６】
７０１は、ＰＲＸのパラメータであり、品質要求の種類を示すＰａｒａｍｅｔｅｒＳｅｔＴｙｐｅを示す。ＰＲＸにおいて色品質の確認の場合は「Ｃｏｌｏｒ」、レジ確認ならば「Ｒｅｇｉｓｔｒａｔｉｏｎ」、画像不良の確認であれば「Ｄｅｆｅｃｔｓ」、バーコードの品質確認であれば「Ｂａｒｃｏｄｅ」がＰａｒａｍｅｔｅｒＳｅｔＴｙｐｅに記述される。
【０１３７】
７０２と７０３はＰＲＸのパラメータであり、それぞれには測定に使うチャートの種類を表すＮａｍｅとチャート番号を示すＩＤが記述されている。本実施例では色品質要求のチャートの種類はＪａｐａｎＣｏｌｏｒ、ＧＲＡｃｏＬ、Ｆｏｇｒａを用意しており、それぞれの認証制度で定められたチャートを出力可能である。ただし、チャートの種類はこれらに限られるものではない。本実施例では、それぞれのチャートはＩＤを割り当てており、７０４のデータ名称（チャート名）と７０５のパッチ数を確認することで作業者は測定したデータが何かを特定することができる。
【０１３８】
例えば、後述の図９で示した測定チャート９０１はＪａｐａｎＣｏｌｏｒのパッチ数が「５４」個の「Ｃｏｎｔｒｏｌ  ｓｔｒｉｐ」チャートである。
【０１３９】
７０６はデータに含まれるパッチの番号を示している。パッチ番号は図９のように印刷した測定チャートのパッチに割り振られた番号と連動している。
【０１４０】
図７の枠線で囲った範囲は、パッチ番号１のパッチが持つＣＭＹＫ、Ｌａｂ、描画開始位置の値を示している。７０７から７１０は測定チャートのパッチが示すＣＭＹＫのそれぞれの値を示す。
【０１４１】
７１１から７１３はパッチが示すＬａｂの値を示す。７１４、７１５はパッチの描画開始位置を示す。パッチの描画開始位置は色品質の確認だけでなく、レジ確認、画像不良の確認、バーコード品質確認でも利用する。レジ確認の値は図１０で後述する用紙の四隅に配置する黒四角のパッチの描画開始位置を示す。画像不良の確認の値は図１１で後述するＱＲコード（登録商標）の描画開始位置を示す。また、バーコード品質確認の値は図１１で後述するバーコードの描画開始位置を示す。
【０１４２】
工程管理部５２２は６０２にて受信したＰＤＦと商品種別をもとに、商品種別から求める用紙タイプと用紙サイズのデータと測定チャートの情報をプリプレス制御部５２４に渡す。
【０１４３】
図８は本実施例における工程管理部５２２がＪＤＦデータを作成するときのジョブ管理テーブルを示す図である。
【０１４４】
前述したように、６１５において工程管理部５２２は商品種別から印刷成果物を印刷するＪＤＦデータを作る。８０１は生産システムで印刷する印刷ジョブのジョブ番号を示す。
【０１４５】
８０１は受注システムサーバから投入されたＰＤＦデータをデータ管理部５２５で受け付けた順番に工程管理部５２２がジョブとしてリストアップしたものであり、工程管理部５２２はこのテーブルを使って印刷成果物を管理する。工程管理部５２２はジョブ番号の順番にジョブを投入し、生産システム１２０はジョブ番号の順番で印刷を行う。
【０１４６】
８０２は商品種別を示す。工程管理部５２２は受注システムサーバ１１０からＰＤＦデータと一緒に送られてくる商品種別をジョブごとに保存する。
【０１４７】
８０３は製本種類を示す。本実施例では製本種類は商品種別により確定されるものであり、「フォトブック」の場合は「無線綴じ」を、「名刺」の場合は「なし」を工程管理部５２２はジョブごとに保存する。
【０１４８】
８０４は用紙種類を示す。本実施例では用紙種類は商品種別により確定されるものであり、「フォトブック」の場合は「光沢紙」を、「名刺」の場合は「上質紙」を工程管理部５２２はジョブごとに保存する。
【０１４９】
８０５は仕上がりサイズを示す。本実施例では仕上がりサイズは商品種別により確定されるものであり、「フォトブック」の場合は「Ａ５」を、「名刺」の場合は「名刺」を工程管理部５２２はジョブごとに保存する。
【０１５０】
８０６は用紙サイズを、８０７は後処理を示す。用紙サイズは仕上がりサイズと後処理によって確定されるものであり、本実施例では「フォトブック」の場合は「Ｂ４」の用紙を「Ａ５」の仕上がりサイズに断裁する。「名刺」の場合は「Ａ４」の用紙を「名刺」サイズに断裁する。工程管理部５２２はジョブごとに商品種別から値を判断して保存する。
【０１５１】
８０８は印刷データ格納場所を示す。受注システムサーバ１１０が６０６にて送信するＰＤＦデータのデータ管理部５２５の格納場所（パス）を示している。受注システムサーバ１１０からＰＤＦデータがデータ管理部５２５に格納されると、工程管理部５２２はデータ管理部５２５から送られてくる格納場所を保存する。
【０１５２】
８０９は品質要求を示す。前述の６０６で受注システムサーバ１１０が送信したＰＲＸデータをＰＲＸ解析部５２１が解析した結果を工程管理部５２２は８０９に保存する。
【０１５３】
８１０はＱＲデータを示す。本実施例ではＰＲＸ解析部５２１で解析した結果、８０９の品質要求に「Ｄｅｆｅｃｔｓ」が含まれるときに比較に使う品質要求８０９を、工程管理部５２２が保存する。プリプレス制御部５２４はデータ名をＱＲコードに変換して、描画開始位置として指定された場所に配置したプリプレスデータを作成する。
【０１５４】
８１１はバーコード番号を示す。ワークフロー管理サーバは印刷成果物に管理のためにバーコードを付与する。この番号は印刷成果物にシリアルに付与するものであり、工程管理部５２２が割り付けてそれぞれのジョブに保存する。プリプレス制御部５２４は工程管理部５２２から送信されるバーコード番号を、描画開始位置として指定された場所に配置したプリプレスデータを作成する。
【０１５５】
８１２はプリプレスデータ格納場所を示す。６１３において、プリプレス制御部５２４が生成したプリプレス処理後のＰＤＦデータを工程管理部５２２が保存した場所を示す。
【０１５６】
図９は本実施例における色品質を測定するときの測定チャートを示した図である。本測定チャートは測定チャートデータと、用紙タイプと用紙サイズデータをもとに、プリプレス制御部５２４が作成したチャートの例である。測定チャートデータは、工程管理部５２２が品質要求データ（ＰＲＸ）に基づいて求める。また、用紙タイプは、６０６にて受信したＰＤＦと商品種別から工程管理部５２２が求める。本例では、品質要求として色品質の確認にＪａｐａｎＣｏｌｏｒ認証制度に沿った測定チャートを選択し、商品種別として「フォトブック」を選択したときを示す。
【０１５７】
９０１は測定チャートを示しており、９０２は「フォトブック」に割り当てられた印刷成果物の画像である。「フォトブック」は、前述したように本実施例では、仕上がりサイズ「Ａ５」、製本種類「無線綴じ」、本文の用紙種類「光沢紙」、本文仕上げ「ラミネート加工」という成果物の種類を表す。
【０１５８】
プリプレス制御部５２４は、印刷成果物として「フォトブック」が選択された場合は、印刷した用紙は後処理加工装置１２３で断裁するため、工程管理部５２２からの指示により測定データを断裁する場所にレイアウトして出力する。本図では断裁処理を行うときの測定チャートのレイアウトを示したが、前述したとおり、ページ全体に測定チャートデータをレイアウトしてもよい。この後、生産システム１２０は図６で示したシーケンスにのっとって色品質の確認を行う。
【０１５９】
図１０は、レジ（印字位置）調整に使用する測定チャートの例を表す模式図である。調整用チャートは印字位置調整を開始後、６１６において工程管理部５２２の調整指示によって印刷される。
【０１６０】
１０００は印刷された調整用チャートの表面を、１００１は１０００と同じ調整用チャートの裏面を表す。１０１０および１０１１は、オペレータが調整用チャートの搬送方向および表面・裏面を識別するために調整用チャート上に印字された画像である。図１０では、用紙搬送方向は矢印で表現され、その下に表面であるか裏面であるかが文字で示されているが、これらの画像は必要不可欠な情報ではなく、これらのような画像を何も印字しない構成としても良い。図１０では、同チャートをオペレータが読み取り装置で読み取る場合にも利用可能なように、用紙搬送方向や裏面であることを示す表示を形成するようにしている。
【０１６１】
１０２０は、調整用チャートの特定の位置に印刷されたマークを表す。なお、マーク１０２０は通常用紙に対する反射率の差が大きい色のトナーで形成される。本実施例では、マーク１０２０は黒色のトナーで形成されるものとする。マーク１０２０は調整用チャートの表面・裏面それぞれの４隅に、計８箇所印字される。マーク１０２０は、印字位置が理想通りなら、用紙端から一定距離離れた位置に印字されるように画像配置される。このマーク１０２０の、調整用チャート上における相対位置を測定することで、印字位置のずれ量が求められる。本実施例では、図１０中（Ａ）〜（Ｖ）で表された部分が測定される。（Ａ）および（Ｂ）は、それぞれ調整チャートの副走査方向長さおよび主走査方向長さとなり、理想的な長さは用紙ライブラリで定義された用紙長となる。（Ｃ）〜（Ｖ）は、マーク７２０から直近の用紙端までの距離となる。このチャート１０００、１００１は図８のデータ名称７０４が表裏レジ調整データを用いて、プリプレス制御部５２４がプリプレスデータとして作成する。
【０１６２】
図１１は、生産システム１２０の検品制御部５４３がワークフロー管理サーバの工程管理部５２２から送信された画像不良の確認とバーコード品質の確認を行うシート画像を示す図である。
【０１６３】
生産システムの検品制御部５４３は、検品装置１２４の不図示の設定画面であらかじめ設定された検査項目に従い、送られてきたシート画像を検査する。検査項目は種々あるが、ここでは一例として、印刷内容検査、バーコード可読検査を行う例を説明する。
【０１６４】
図１１の１１０１は印刷成果物を読み取ったシート画像、つまり検品装置の不図示のカメラによって読み取られた画像を表す。本実施例では「フォトブック」の場合、印刷成果物管理のため表紙にバーコードと検査対象を示すＱＲコードをプリプレス制御部５２４で埋め込んで印刷をする。図１１の１１０２は画像不良の検査対象となる検査エリアである。１１０３はバーコードの検査の対象となる検査エリアである。検品装置１２４は、表紙１１０１内に存在するＱＲコードを読み取って解析し、ワークフロー管理サーバ１００上のデータ管理部５４４で管理する図８のジョブを管理するデータベースと照合することにより、読み取ったシートのデータの特定を行う。例えば、本実施例においてはＱＲコードから図８の８０８に示すデータ管理部５２５に保存されるファイル名の比較画像データが導出される。この比較画像データと印刷成果物を読み取ったシート画像を比較することで検品装置は画像不良の確認を行う。
【０１６５】
また、検品装置１２４は、検査エリア９０３内に存在するバーコードが可読かどうかを判定する。可読であった場合はバーコードが正常に印刷され、不可読であった場合はバーコードの印刷が品質要求を満たしていないと判定される。
【０１６６】
検品装置１２４は他にも、色ずれ検査、色味検査など、様々な検査が可能であるが、本発明はこれらの検査内容に限定されるものではないためその説明を省略する。なお本実施例では、検品装置１２４に対する前述の検査エリアや検査内容の設定は、検品装置上の不図示の設定画面から設定するとしたが、別の構成として、通信回線を通じてワークフロー管理サーバ１００から設定可能としてもよい。
【０１６７】
図１２は本実施におけるワークフロー管理サーバ１００と生産システム１２０の動作を示したフローチャートである。
【０１６８】
以下、図１２から図１４のフローチャートの各ステップにおける制御はＣＰＵ２２１がＲＯＭ２２２の制御プログラムを読み出して実行することで各種動作を実現する。
【０１６９】
図１２の（ａ）はワークフロー管理サーバのフローチャートであり、工程管理部５２２に受注システムサーバ１１０から商品種別とＰＤＦデータ、品質要求（ＰＲＸ）データが投入され、ジョブ管理データベースでジョブ情報が管理された後に実行される。
【０１７０】
Ｓ１２０１において、工程管理部５２２はＰＲＸ解析部５２１に図７の品質要求のデータベースをもとにＰＲＸデータに含まれる品質要求を解析させる。ＰＲＸ解析部５２１の動作については図１３にて後述する。ＰＲＸ解析部５２１は品質要求データを解析した結果を工程管理部５２２に送信し、工程管理部５２２は図８の８０９に保存する。
【０１７１】
Ｓ１２０２において、工程管理部５２２は投入される商品種別をもとに、本実施例であらかじめ決められた商品種別８０２、製本種類８０３、用紙種類８０４、仕上がりサイズ８０５、用紙サイズ８０６、後処理８０７などといった値を保存する。
【０１７２】
Ｓ１２０３において、工程管理部５２２は製本種類８０３、用紙種類８０４、仕上がりサイズ８０５、用紙サイズ８０６、後処理８０７の情報をプリプレス制御部５２４に送る。プリプレス制御部５２４は図７の測定パラメータのデータベースからパッチの値（７０６から７１５）を求めプリプレス処理後のＰＤＦデータを作成する。作成したプリプレス処理後のデータはＰＤＦの形態でデータ管理部５２５に保存し、工程管理部にプリプレスデータ格納場所を送信する。工程管理部５２２はプリプレス制御部５２４から受け取ったプリプレスデータ格納場所を図８のジョブ管理データベースの８１２に保存する。
【０１７３】
Ｓ１２０４において、工程管理部５２２は、プリプレス処理後のデータ、ＪＤＦデータ、調整指示、検品設定を生産システムに送信する。このとき、工程管理部５２２は調整指示をＪＤＦデータに含んで送信する。
【０１７４】
図１２の（ｂ）は生産システム１２０のフローチャートであり、測定データと測定命令を受け付けた後の生産システム１２０の動作を示すものである。本フローチャートは、生産システム１２０の起動後に実行される。
【０１７５】
Ｓ１２０５において、印刷制御部５４１はプリプレス処理後のデータ、ＪＤＦ、調整指示、検品設定を待ち受ける。ワークフロー管理サーバ１００からＳ１２０４で送信されたプリプレス処理後のデータ（測定データ）と、ＪＤＦと調整指示と検品設定からなる測定命令を生産システム１２０が受け付けるとＳ１２０６へ進む。
【０１７６】
Ｓ１２０６において生産システム１２０はプリプレス処理後のデータと調整指示をもとにレジ調整品質要求（事前調整）を実行する。続いて、Ｓ１２０７において、プリプレス処理後のデータとＪＤＦのデータから、印刷成果物を印刷する。また、印刷後の印刷成果物を、検品設定を使い測定する。
【０１７７】
次に、図１３のフローチャートを用いて、ＰＲＸ解析部５２１が図７の品質要求のデータベースをもとにＰＲＸデータに含まれる品質要求を解析する処理を説明する。本フローチャートは、図１２のＳ１２０１において、ＰＲＸ解析部５２１がＰＲＸの解釈を行う際に開始される。
【０１７８】
本フローチャートでは、ＰＲＸ解析部５２１はＰａｒａｍｅｔｅｒＳｅｔＴｙｐｅにおいて、色品質要求、レジ品質要求、画像不良の品質要求、バーコード品質要求が存在するか否かを順次判定する。対象の品質要求が存在する場合には、ＰＲＸ解析部５２１は対象の品質要求に対応するＰｒａｍｅｔｅｒＳｅｔＴｙｐｅ７０１に設定されている品質要求の値を、図８のジョブ管理データベースに追加する処理を行う。
【０１７９】
色品質要求とは、例えば、基準となる色値と実際の印刷結果の色値の差である色差の許容範囲を指定する要求である。色差は、例えば、ＪａｐａｎＣｏｌｏｒ等の基準値に対応する所定のパッチを印刷した結果を測定し、基準値と測定結果を比較することにより特定することができる。上述の通り、ＰＲＸでは、色品質要求を指定する場合、ＱｕａｌｉｔｙＰａｒａｍｅｔｅｒＳｅｔＴｙｐｅに「Ｃｏｌｏｒ」が記載される。さらに、ＰａｒａｍｅｔｅｒＳｅｔＳｃｏｒｉｎｇＳｃａｌｅに、品質ランクや品質ランクに応じた色差の程度が記載される。
【０１８０】
レジ品質要求とは、用紙に対して画像を描画する位置のずれの許容範囲を指定する要求である。例えば、描画する位置のずれとは、用紙の表面に描画される画像と裏面に描画される画像のずれなどがある。あるいは、位置のずれとして、片面に描画される画像でも、描画内容と用紙上の基準位置との相対関係についての基準とのずれや、色版ごとの描画位置のずれなどがある。ＰＲＸでは、レジ品質要求を指定する場合、ＱｕａｌｉｔｙＰａｒａｍｅｔｅｒＳｅｔＴｙｐｅに「Ｒｅｇｉｓｔｒａｔｉｏｎ」が記載される。さらに、ＰａｒａｍｅｔｅｒＳｅｔＳｃｏｒｉｎｇＳｃａｌｅに、品質ランクや品質ランクに応じたずれの程度が記載される。
【０１８１】
画像不良の品質要求とは、例えば、濃度ムラの発生やトナーの飛び散り等の画像不良の許容範囲を指定する要求である。ＰａｒａｍｅｔｅｒＳｅｔＳｃｏｒｉｎｇＳｃａｌｅに以下を記載する。ＰＲＸでは、画像不良の品質要求を指定する場合、ＱｕａｌｉｔｙＰａｒａｍｅｔｅｒＳｅｔＴｙｐｅに「Ｄｅｆｅｃｔｓ」が記載される。さらに、ＰａｒａｍｅｔｅｒＳｅｔＳｃｏｒｉｎｇＳｃａｌｅに、品質ランクや品質ランクに応じた画像不良の程度（トナー飛び散り範囲等）が記載される。
【０１８２】
バーコード品質要求とは、例えば、成果物に印刷されるバーコードの印刷品質あるいは印刷種別を示す。バーコードの印刷品質とは、例えば、バーコードの読み取りやすさの程度を表す。例えば、階調補正において生じる階調段差の変化がバーコードの読み取り品質に影響を与えてバーコード読み取りエラーが発生することが想定される。そこで、バーコードの品質を定義することで、階調補正の内容を制御することができる。
【０１８３】
まず、色品質要求に対応する処理について述べる。Ｓ１３０１において、ＰＲＸ解析部５２１はＰａｒａｍｅｔｅｒＳｅｔＴｙｐｅに色品質要求が存在するか否かを、図７に図示した「Ｃｏｌｏｒ」が存在するか否かにより判定する。存在しない場合は、Ｓ１３０３に進む。存在する場合はＳ１３１０に進む。
【０１８４】
Ｓ１３１０においてＰＲＸ解析部５２１は、色品質要求についてのＰａｒａｍｅｔｅｒＳｅｔＳｃｏｒｉｎｇＳｃａｌｅに記載の内容に基づいて、色管理部５４５が解釈可能なフォーマットの品質要求データを生成する。この品質要求データは、生産システム１２０が要求された品質の成果物を生産するための調整を行うためのデータである。例えば、基準値（パッチデータ）に対する色差の許容範囲を示す情報をＸＭＬ形式あるいはＪＤＦ形式で表現したデータを生成する。このようにして生産システム１２０が実行すべき品質調整に用いる情報を含むジョブを、解釈結果に基づいて生成する。ＰＲＸ解析部５２１は処理をＳ１３０２に進める。なお、生成した品質要求データは、印刷装置１２１又はプリントサーバ１２２が備える色管理部５４５に送信される。
【０１８５】
Ｓ１３０２において、ＰＲＸ解析部５２１は「Ｃｏｌｏｒ」に記載されているＩＤ７０３の値を読み込む。そしてＰＲＸ解析部５２１は、対応する色品質要求を示す「Ｃｏｌｏｒ」とＩＤ７０３の「１」を合成した値「Ｃｏｌｏｒ１」を図８に図示したジョブ管理データベースの品質要求の列に書き込む。その後Ｓ１３０９に進み、ＰＲＸ解析部５２１はＰａｒａｍｅｔｅｒＳｅｔＴｙｐｅに存在する全ての品質要求を確認したかを判定する。本実施例では、ＰＲＸのＱｕａｌｉｔｙＰａｒａｍｅｔｅｒＳｅｔを全て読み込んだことにより、全ての品質要求を確認したと判定する。
【０１８６】
ＰａｒａｍｅｔｅｒＳｅｔＴｙｐｅにおいて全ての色品質要求を確認し終えた場合は、Ｓ１３０３に進む。Ｓ１３０３において、ＰＲＸ解析部５２１はＰａｒａｍｅｔｅｒＳｅｔＴｙｐｅにレジ品質要求が存在するか否かを、図７に図示した「Ｒｅｇｉｓｔｒａｔｉｏｎ」が存在するか否かにより判定する。存在しない場合は、Ｓ１３０５に進む。存在する場合はＳ１３１１に進む。
【０１８７】
Ｓ１３１１においてＰＲＸ解析部５２１は、レジ品質要求についてのＰａｒａｍｅｔｅｒＳｅｔＳｃｏｒｉｎｇＳｃａｌｅに記載の内容に基づいて、印刷制御部５４１が解釈可能なフォーマットの品質要求データを生成する。この品質要求データは、生産システム１２０が要求された品質の成果物を生産するための調整を行うためのデータである。例えば、用紙に対して画像を描画する位置のずれの許容範囲をＸＭＬ形式あるいはＪＤＦ形式で表現したデータを生成する。このようにして生産システム１２０が実行すべき品質調整に用いる情報を含むジョブを、解釈結果に基づいて生成する。ＰＲＸ解析部５２１は処理をＳ１３０４に進める。なお、生成したレジ品質要求データは、印刷装置１２１又はプリントサーバ１２２が備える印刷制御部５４１に送信される。
【０１８８】
Ｓ１３０４において、ＰＲＸ解析部５２１はＰａｒａｍｅｔｅｒＳｅｔＴｙｐｅに記載されている「Ｒｅｇｉｓｔｒａｔｉｏｎ」に記載されているＩＤ７０３の値「４０」を読み込む。そして、ＰＲＸ解析部５２１は、対応するレジ調整を示す「Ｒｅｇｉｓｔｒａｔｉｏｎ」とＩＤ７０３の「４０」を合成した「Ｒｅｇｉｓｔｒａｔｉｏｎ４０」を図８に図示したジョブ管理データベースのジョブ管理データベースの品質要求８０９に書き込む。その後Ｓ１３０９に進む。
【０１８９】
ＰａｒａｍｅｔｅｒＳｅｔＴｙｐｅにおいて全てのレジ品質要求を確認し終えた場合は、Ｓ１３０５に進む。Ｓ１３０５において、ＰＲＸ解析部５２１はＰａｒａｍｅｔｅｒＳｅｔＴｙｐｅに画像不良の品質要求が存在するか否かを、図７に図示した「Ｄｅｆｅｃｔｓ」が存在するか否かにより判定する。存在しない場合は、Ｓ１３０７に進む。存在する場合はＳ１３１２に進む。Ｓ１３１２においてＰＲＸ解析部５２１は、画像不良の品質要求についてのＰａｒａｍｅｔｅｒＳｅｔＳｃｏｒｉｎｇＳｃａｌｅに記載の内容に基づいて、検品制御部５４３が解釈可能なフォーマットの品質要求データを生成する。この品質要求データは、生産システム１２０が要求された品質の成果物を生産するための調整を行うためのデータである。例えば、濃度ムラの発生やトナーの飛び散り等の画像不良の許容範囲をＸＭＬ形式あるいはＪＤＦ形式で表現したデータを生成する。このようにして生産システムが実行すべき品質調整に用いる情報を含むジョブを、解釈結果に基づいて生成する。ＰＲＸ解析部５２１は処理をＳ１３０６に進める。なお、生成した画像不良の品質要求データは、検品装置１２４が備える検品制御部５４３に送信される。
【０１９０】
Ｓ１３０６において、ＰＲＸ解析部５２１は「Ｄｅｆｅｃｔｓ」に記載されているＩＤ７０３の値「５０」の値を読み込む。そしてＰＲＸ解析部５２１は、対応する画像不良確認を示す「Ｄｅｆｅｃｔｓ」とＩＤ７０３の「５０」を合成した「Ｄｅｆｅｃｔｓ５０」を図８に図示したジョブ管理データベースの品質要求の列８０９に書き込む。その後Ｓ１３０９に進む。
【０１９１】
ＰａｒａｍｅｔｅｒＳｅｔＴｙｐｅにおいて全ての画像不良の品質要求を確認し終えた場合は、Ｓ１３０７に進む。Ｓ１３０７において、ＰＲＸ解析部５２１はＰａｒａｍｅｔｅｒＳｅｔＴｙｐｅにバーコード品質要求が存在するか否かを、図７に図示した「Ｂａｒｃｏｄｅ」が存在するか否かにより判定する。存在しない場合は、Ｓ１３０９に進む。存在する場合はＳ１３１３に進む。
【０１９２】
Ｓ１３１３においてＰＲＸ解析部５２１は、バーコード品質要求についてのＰａｒａｍｅｔｅｒＳｅｔＳｃｏｒｉｎｇＳｃａｌｅに記載の内容に基づいて、印刷制御部５４１が解釈可能なフォーマットの品質要求データを生成する。この品質要求データは、生産システム１２０が要求された品質の成果物を生産するための調整を行うためのデータである。例えば、バーコードの印刷品質についての許容範囲をＸＭＬ形式あるいはＪＤＦ形式で表現したデータを生成する。このようにして生産システムが実行すべき品質調整に用いる情報を含むジョブを、解釈結果に基づいて生成する。ＰＲＸ解析部５２１は処理をＳ１３０８に進める。なお、生成したバーコード品質要求データは、印刷装置１２１又はプリントサーバ１２２が備える印刷制御部５４１に送信される。
【０１９３】
Ｓ１３０８においてＰＲＸ解析部５２１は「Ｂａｒｃｏｄｅ」に記載されているＩＤ７０３の「６０」の値を読み込む。そしてＰＲＸ解析部５２１は、対応するバーコード品質確認を示す「Ｂａｒｃｏｄｅ」とＩＤ７０３の「６０」を合成した「Ｂａｒｃｏｄｅ６０」を図８に図示したジョブ管理データベースの品質要求の列８０９に書き込む。その後Ｓ１３０９に進む。
【０１９４】
Ｓ１３０９において、ＰＲＸ解析部５２１がＰａｒａｍｅｔｅｒＳｅｔＴｙｐｅに存在する全ての品質要求の確認を終えたと判定された場合は本フローチャートの処理を終了する。本フローチャートの処理が終了すると、ＰａｒａｍｅｔｅｒＳｅｔＴｙｐｅに存在する全ての品質要求に対して、品質要求に対応するＰｒａｍｅｔｅｒＳｅｔＴｙｐｅ７０１に設定されている品質要求の値がすべて図８のジョブ管理データベースに格納される。図８のジョブ管理データベースに格納されたＰａｒａｍｅｔｅｒＳｅｔＴｙｐｅは、プリプレス制御部５２４がＳ１２０３においてプリプレス処理ずみのデータを作成するために用いられる。
【０１９５】
次に、図１４のフローチャートを用いて、プリプレス制御部５２４が図７の品質要求のデータベースと図８のジョブ管理データベースをもとにプリプレス処理後のＰＤＦデータを生成する処理を説明する。本フローチャートは、図１２のＳ１２０３において、プリプレス制御部５２４がプリプレス済みデータを作る際に開始される。
【０１９６】
本フローチャートでは、プリプレス制御部５２４は図８の品質要求８０９において、色品質要求、レジ品質要求、画像不良の品質要求、バーコード品質要求がジョブに存在するか否かを順次判定する。対象の品質要求が存在する場合には、プリプレス制御部５２４は対象の品質要求に対応する図７のＩＤ７０３で設定されているパッチの値（７０６から７１５）を、図８の印刷データ格納場所に保存されている印刷成果物のＰＤＦデータに配置または合成する。そして、プリプレス制御部５２４は作成したプリプレス済みＰＤＦデータを図８のジョブ管理データベースに追加する処理を行う。
【０１９７】
まず、色品質要求に対応する処理について述べる。Ｓ１４０１において、プリプレス制御部５２４は品質要求８０９に色品質要求が存在するか否かを、図７に図示した「Ｃｏｌｏｒ」の文字列が存在するか否かにより判定する。存在する場合はＳ１４０２に進む。プリプレス制御部５２４はジョブに含まれる商品種別を図８の商品種別８０２から求める。商品種別が「フォトブック」の場合はＳ１４０３に進み、プリプレス制御部５２４は印刷データ格納場所８０８のＰＤＦデータを、用紙サイズ８０６にあわせて「Ｂ４」の用紙に配置する。さらに、プリプレス制御部５２４は品質要求８０９に記載されている数字を読み、図７のＩＤ７０３の値と比較して、パッチの値（７０６から７１５）を求め、表紙にパッチを配置する。「フォトブック」の場合は断裁する余白部分にパッチを配置することができる。
【０１９８】
商品種別が「名刺」の場合はＳ１４０４に進み、プリプレス制御部５２４は印刷データ格納場所８０８のＰＤＦデータを、用紙サイズ８０６に合わせて「Ａ４」の紙に配置する。さらに、プリプレス制御部５２４は品質要求８０９に記載されている数字を読み、図７のＩＤ７０３の値と比較して、パッチの値（７０６から７１５）を求め、別シートにパッチを配置して追加する。その後Ｓ１４０７に進み、プリプレス制御部５２４は図８の品質要求８０９に存在するすべての品質要求を確認したかを判定する。本実施例では図８のジョブ管理データベースの品質要求をすべて読み込むことにより、すべての品質要求を確認したと判定する。このように、プリプレス制御部５２４は、品質要求に含まれるパラメータに基づいて、生産システム１２０が用いるべきパッチを決定して記憶する。また、プリプレス制御部５２４は、商品種別に基づいて、パッチの配置位置を決定する。
【０１９９】
品質要求８０９において全ての色品質要求を確認し終えた場合は、Ｓ１４０１に進む。Ｓ１４０１において、プリプレス制御部５２４は品質要求８０９にレジ品質要求が存在するか否かを、図７に図示した「Ｒｅｇｉｓｔｒａｔｉｏｎ」の文字列が存在するか否かにより判定する。存在する場合はＳ１４０５に進み、プリプレス制御部５２４は印刷データ格納場所８０８のＰＤＦデータを、用紙サイズ８０６にあわせて、「フォトブック」の場合は「Ｂ４」の用紙に、「名刺」の場合は「Ａ４」の用紙に配置する。さらに、プリプレス制御部５２４は品質要求８０９に記載されている数字を読み、図７のＩＤ７０３の値と比較して、パッチの値（７０６から７１５）を求め、別シートにパッチを配置して追加する。表裏レジ調整データは用紙の全面を使って調整を行うため、別シートに配置して、追加する必要がある。その後Ｓ１４０７に進み、プリプレス制御部５２４は図８の品質要求８０９に存在するすべての品質要求を確認したかを判定する。本実施例では図８のジョブ管理データベースの品質要求をすべて読み込むことにより、すべての品質要求を確認したと判定する。品質要求８０９において全てのレジ品質要求を確認し終えた場合は、Ｓ１４０１に進む。
【０２００】
Ｓ１４０１において、プリプレス制御部５２４は品質要求８０９に画像不良の品質要求またはバーコード品質要求が存在するか否かを、図７に図示した「Ｒｅｇｉｓｔｒａｔｉｏｎ」または「Ｂａｒｃｏｄｅ」の文字列が存在するか否かにより判定する。存在する場合はＳ１４０６に進み、プリプレス制御部５２４は印刷データ格納場所８０８のＰＤＦデータを、用紙サイズ８０６にあわせて、「フォトブック」の場合は「Ｂ４」の用紙に、「名刺」の場合は「Ａ４」の用紙に配置する。さらに、プリプレス制御部５２４は品質要求８０９に記載されている数字を読み、図７のＩＤ７０３の値と比較して、パッチの値（７０６から７１５）を求め、表紙のデータにパッチを合成して追加する。図１１で説明したが、画像不良の品質要求とバーコード品質要求は印刷成果物の表紙を使って確認を行うため、表紙に合成する必要がある。その後Ｓ１４０７に進み、プリプレス制御部５２４は図８の品質要求８０９に存在するすべての品質要求を確認したかを判定する。本実施例では図８のジョブ管理データベースの品質要求をすべて読み込むことにより、すべての品質要求を確認したと判定する。
【０２０１】
本実施形態によれば、ＰＲＸで記述された印刷品質要求の内容に基づいて、生産システムが実行可能な指示を生成して、生産システムに送信することができる。
【０２０２】
（実施形態３）
実施形態２では、ワークフロー管理サーバ１００は測定データと測定命令を生成したときに、生産システムに送信していた。市場において、作業者が測色調整、レジ調整、検品などそれぞれの作業を行う際には、ワークフロー管理サーバが発行する調整指示書などの作業指示書とバーコードリーダを使って作業時間を管理している。
【０２０３】
実施形態３では、図１５で示すようにワークフロー管理サーバ１００がプリプレス処理後のデータを作った後に、調整指示書を生産システムで印刷し、バーコードリーダで読み込むことで作業者の作業時間を記録する例について説明する。
【０２０４】
本実施形態に係る構成は、実施形態１と同様であるため、説明を省略する。
【０２０５】
図１５は本実施におけるワークフロー管理サーバ１００と生産システム１２０の動作を示したフローチャートである。本フローチャートでは品質要求の測定チャートと測定命令を出力するワークフロー管理サーバ１００とそれらを受け取り実行する生産システム１２０の本実施例における特徴的な制御動作を説明する。図１２と図１５の差分は図１５の中に点線で囲った部分で示した。
【０２０６】
図１５の（ａ）はワークフロー管理サーバ１００の動作を示したフローチャートである。
【０２０７】
Ｓ１２０３において、ワークフロー管理サーバ１００のプリプレス制御部５２４は図１２と図１４の説明で前述したように品質要求にあわせたプリプレス処理後のデータを作成する。実施例２ではＳ１５０８において、工程管理部５２２は測定データ取得指示と測定命令取得指示を含む調整指示書を印刷する。このとき調整指示書に印刷する測定データ取得指示は図８のジョブ管理データベースで管理しているプリプレスデータ格納場所８１２の値をＱＲコードに変換して設定、印刷する。また測色命令指示はジョブごとにシリアルに管理されているバーコード番号８１１をバーコードに変換して設定、印刷する。同じＱＲコードとバーコードは画像不良の品質要求、バーコード品質要求がＰＲＸデータに付与されていた時に、表紙にも印刷される。生産システム１２０で表紙をバーコードリーダで読み込むとしてもよい。Ｓ１５０８において調整指示書を印刷した後は、生産システム１２０のフローチャートＳ１５１１において、印刷制御部５４１が取得指示を送信することを待ち受ける。Ｓ１２０４において、工程管理部５２２は測定データと測定命令の取得指示を受け付けたとき、プリプレス処理後のデータ、ＪＤＦ、調整指示、検品設定を生産システム１２０に送信する。
【０２０８】
次に生産システム１２０側の動作を説明する。図１５の（ｂ）は生産システム１２０の動作を示したフローチャートである。本フローチャートは生産システムが起動後に実行する。
【０２０９】
本実施形態では、Ｓ１５１０において、生産システム１２０の印刷制御部５４１は図１５の（ａ）の説明で前述したように調整指示書を不図示のバーコードリーダを使って読み込む。印刷制御部５４１は調整指示書に付与されたＱＲコードと、ワークフロー管理サーバ１００でジョブにシリアルに設定されたバーコード番号のバーコードを読み取る。続いてＳ１５１１において、印刷制御部５４１はバーコード番号とプリプレス処理後のデータの格納場所の情報を取得指示として、ワークフロー管理サーバ１００に送信する。
【０２１０】
生産システム１２０は接続された不図示のバーコードリーダなどで印刷された調整指示書を読むことで、プリントサーバ１２２や検品装置１２４は品質要求を満たす調整や検査に必要な比較データを含むプリプレス処理済みのＰＤＦデータを取得する。このようにして生産システム１２０は、事前調整や検品を実行するだけでなく、ワークフロー管理サーバ１００で作業時間の管理も行うことができる。
【０２１１】
＜その他の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０２１２】
１１０  受注システムサーバ
１００  ワークフロー管理サーバ
１２０  生産システム
２０１  ＣＰＵ
５２１  ＰＲＸ解析部
５２５  データ管理部
【図１】
2020101895.tif 000003
【図２】
2020101895.tif 000004
【図３】
2020101895.tif 000005
【図４】
2020101895.tif 000006
【図５】
2020101895.tif 000007
【図６】
2020101895.tif 000008
【図７】
2020101895.tif 000009
【図８】
2020101895.tif 000010
【図９】
2020101895.tif 000011
【図１０】
2020101895.tif 000012
【図１１】
2020101895.tif 000013
【図１２】
2020101895.tif 000014
【図１３】
2020101895.tif 000015
【図１４】
2020101895.tif 000016
【図１５】
2020101895.tif 000017
【図１６】
2020101895.tif 000018
【図１７】
2020101895.tif 000019